(57)【要約】  参照信号の送受信方法及び装置が提供される。前記方法は、第一装置がチャネル状態情報を取得するためのサイドリンク参照信号を確定し、そのうち、前記サイドリンク参照信号は時間間隔の第一部分のシンボルにおいてキャリーされ；及び、前記第一装置が第二装置に前記サイドリンク参照信号を送信することを含む。これにより、Ｖ２ＸにおいてＣＳＩの測定及び報告をサポートすることができ、異なるシナリオ及び異なるサービスのニーズを満たすことができる。
2022501916.tif 000002
【特許請求の範囲】
【請求項１】
参照信号の送信装置であって、
チャネル状態情報を得るためサイドリンク参照信号を確定するための信号確定ユニットを含み、前記サイドリンク参照信号は時間間隔の第一部分のシンボルにおいてキャリーされ；及び
第二装置に前記サイドリンク参照信号を送信するための信号送信ユニットを含む、装置。
【請求項２】
請求項１に記載の装置であって、
前記時間間隔は、スロット、サブフレーム、フレーム、非スロット、及びミニスロットのうちの少なくとも１つを含む、装置。
【請求項３】
請求項１に記載の装置であって、
前記時間間隔にはさらに、ガード区間のための第二部分シンボルが含まれ、前記第二部分シンボルは前記サイドリンク参照信号をキャリーする前記第一部分シンボルの後ろに位置し、前記第一部分シンボル及び前記第二部分シンボルは前記時間間隔の後部に位置する、装置。
【請求項４】
請求項１に記載の装置であって、
前記時間間隔にはさらに自動利得制御を行うための第三部分シンボルが含まれ、前記第三部分シンボルは前記サイドリンク参照信号をキャリーする前記第一部分シンボルの前に位置する、装置。
【請求項５】
請求項１に記載の装置であって、
前記第一部分シンボルは前記時間間隔の前部に位置し、前記第一部分シンボルはさらに自動利得制御を行うために用いられる、装置。
【請求項６】
請求項１に記載の装置であって、
前記時間間隔にはさらに、伝送情報をキャリーするための第四部分のシンボルが含まれ、前記伝送情報は、制御情報、データ情報、及びフィードバック情報のうちの少なくとも１つを含む、装置。
【請求項７】
請求項６に記載の装置であって、
前記第一部分シンボルと前記第四部分のシンボルとの間にはさらにガード区間のための第五部分シンボルが含まれる、装置。
【請求項８】
請求項６に記載の装置であって、
前記時間間隔にはさらに自動利得制御を行うための第六部分のシンボルが含まれ、前記第六部分のシンボルが前記第四部分のシンボルの前に位置し、あるいは、前記第四部分のシンボルの前の１つ又は複数のシンボルが前記第六部分のシンボルとされる、装置。
【請求項９】
請求項１に記載の装置であって、さらに、
シンボル確定ユニットを含み、
前記シンボル確定ユニットは、パワー制御状態、又はネットワーク装置及び／又は端末装置から受信したパワー制御に関するシグナリングに基づいて、前記第一シンボルの前に自動利得制御を行うための第三部分シンボルがあるかを確定する、装置。
【請求項１０】
請求項６に記載の装置であって、さらに、
シンボル確定ユニットを含み、
前記シンボル確定ユニットは、パワー制御状態、又は、ネットワーク装置及び／又は端末装置から受信したパワー制御に関するシグナリングに基づいて、前記第四シンボルの前に自動利得制御を行うための第六部分のシンボルがあるかを確定し、あるいは、前記第四部分のシンボルの前の１つ又は複数のシンボルが自動利得制御を行うための第六部分のシンボルとされるかを確定する、装置。
【請求項１１】
請求項１に記載の装置であって、さらに、
シンボル確定ユニットを含み、
前記シンボル確定ユニットは、ネットワーク装置及び／又は端末装置送信の、サイドリンク参照信号の設定情報、又は、セルラーリンクのスロットフォーマット設定情報に基づいて、前記サイドリンク参照信号を送信する前記第一部分シンボルを確定する、装置。
【請求項１２】
請求項１１に記載の装置であって、
前記サイドリンク参照信号の前記第一部分シンボルは、前記セルラーリンクにおける上りリンクシンボル及び／又は柔軟シンボルに対応する、装置。
【請求項１３】
請求項１に記載の装置であって、さらに、
情報確定ユニットを含み、
前記情報確定ユニットは、前記時間間隔が伝送情報を送信又は受信するために用いられると確定し、
前記信号確定ユニットは、さらに、前記サイドリンク参照信号を送信する一部又は全部の時間周波数リソースが前記伝送情報を送信又は受信するために用いられると確定する、装置。
【請求項１４】
請求項１３に記載の装置であって、
前記情報確定ユニットはさらに、前記伝送情報の優先級が第一閾値よりも高いと確定し、
前記信号確定ユニットはさらに、前記伝送情報の優先級が前記第一閾値よりも高いときに、前記サイドリンク参照信号を送信する一部又は全部の時間周波数リソースが前記伝送情報を送信又は受信するために用いられると確定する、装置。
【請求項１５】
請求項１３に記載の装置であって、
前記伝送情報は、ユニキャスト情報、グループキャスト情報、ブロードキャスト情報、ネットワーク装置に送信する情報、及び比較的高い優先度を有する情報のうちの少なくとも１つを含む、装置。
【請求項１６】
請求項１３に記載の装置であって、
前記伝送情報は前記時間間隔の全部のリソースブロック上で送信又は受信され、前記サイドリンク参照信号は前記時間間隔での送信が取り消され；又は
前記伝送情報は前記時間間隔の一部のリソースブロック上で送信又は受信され、前記サイドリンク参照信号は前記時間間隔の他のリソースブロック上で送信される、装置。
【請求項１７】
請求項１３に記載の装置であって、さらに、
スケジューリング受信ユニットを含み、それは、伝送情報を指示するスケジューリング情報を受信し、
前記情報確定ユニットはさらに、前記スケジューリング情報を受信する時刻から前記サイドリンク参照信号までの時間が第二閾値よりも大きいと確定し、
前記信号確定ユニットはさらに、前記スケジューリング情報を受信する時刻から前記サイドリンク参照信号までの時間が第二閾値よりも大きいときに、前記サイドリンク参照信号を送信する一部又は全部の時間周波数リソースが前記伝送情報を送信又は受信するために用いられると確定する、装置。
【請求項１８】
参照信号の受信装置であって、
第一装置送信のサイドリンク参照信号を受信し、前記サイドリンク参照信号が時間間隔の第一部分シンボルにおいてキャリーされる信号受信ユニット；及び
前記サイドリンク参照信号に基づいてチャネル測定を行い、チャネル状態情報を得るチャネル測定ユニットを含む、装置。
【請求項１９】
請求項１８に記載の装置であって、さらに、
情報フィードバックユニットを含み、それは、前記チャネル状態情報を前記第一装置にフィードバックする、装置。
【請求項２０】
通信システムであって、
請求項１に記載の参照信号の送信装置を含む第一装置；及び
請求項１８に記載の参照信号の受信装置を含む第二装置を含む、通信システム。
【発明の詳細な説明】
【技術分野】
【０００１】
本発明は、通信技術分野に関し、特に、参照信号の送受信方法及び装置に関する。
【背景技術】
【０００２】
ＬＴＥ（Ｌｏｎｇ  Ｔｅｒｍ  Ｅｖｏｌｕｔｉｏｎ）  Ｖ２Ｘ（Ｖｅｈｉｃｌｅ  ｔｏ  Ｅｖｅｒｙｔｈｉｎｇ）が車両通信技術の１つであり、車と車、車と路側装置、及び車と歩行者の間の情報交換を実現することができる。
【０００３】
ＬＴＥ  Ｖ２Ｘにおける送信装置がサイドリンク（ｓｉｄｅｌｉｎｋ）により受信装置と直接通信することができる。サイドリンクは、ＬＴＥ  Ｖ２Ｘのために新たに定義された無線インターフェース（即ち、Ｖ２Ｘ装置の間の無線インターフェース）であり、通常のセルラーネットワークのＵｕインターフェース（即ち、ネットワーク装置と端末装置の間の無線インターフェース）とは異なる。サイドリンクは、セルラーネットワークのＵｕインターフェースの周波数リソースを用いることができるが、専用の周波数リソースを使用することもできる。
【０００４】
ＬＴＥ  Ｖ２Ｘはブロードキャストサービスのみをサポートし、例えば、送信装置は交通安全情報を周囲のすべての受信装置にブロードキャストすることができる。チャネル状態情報（ＣＳＩ、Ｃｈａｎｎｅｌ  Ｓｔａｔｅ  Ｉｎｆｏｒｍａｔｉｏｎ）のブロードキャストサービスに対する作用が限られていることに鑑み、ＬＴＥ  Ｖ２Ｘでは、ＣＳＩの測定及び報告に対してのサポートが提供されていない。
【０００５】
一方、新無線（ＮＲ、Ｎｅｗ  Ｒａｄｉｏ）Ｖ２ＸがＲｅｌ−１６の規格化の研究プロジェクトの１つである。ＬＴＥ  Ｖ２Ｘに比べて、ＮＲ  Ｖ２Ｘは、多くの新しいシナリオ及び新しいサービス（例えば、遠隔運転、自動運転、車隊列走行など）をサポートする必要があり、より高い技術指標（例えば、高信頼性、低遅延、高データレートなど）を満足する必要がある。
【０００６】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００７】
本発明の発明者が次のようなことを発見した。即ち、異なるシナリオ及び異なるサービスのニーズを満たすために、ブロードキャストサービス以外に、ＮＲ  Ｖ２Ｘはさらに、ユニキャストサービス及びグループキャストサービスをサポートする必要がある。例えば、２つの車両装置はユニキャスト方式で交通状況ビデオ情報を交換することができ、又は、車隊はグループキャスト方式でグループメンバーと最初の車両装置との間の通信を維持することができる。よって、ブロードキャストサービスの場合とは異なり、ＣＳＩの測定及び報告は、ユニキャストサービス及びグループキャストサービスにとって重要な意義を持ち、送信装置が測定及び報告の結果に基づいてリンク適応を行うようにイネーブル（ｅｎａｂｌｅ）することができる。例えば、送信装置は、ＣＳＩに基づいて、現在のチャネルに最も適応した変調符号化スキーム（ＭＣＳ、Ｍｏｄｕｌａｔｉｏｎ  ａｎｄ  Ｃｏｄｉｎｇ  Ｓｃｈｅｍｅ）、プリコーディングマトリックスインデックス（ＰＭＩ、Ｐｒｅｃｏｄｉｎｇ  Ｍａｔｒｉｘ  Ｉｎｄｉｃａｔｏｒｓ）、ビーム、ランクなどを選択することができ、これは、高データレート伝送の実現に有利である。
【０００８】
しかしながら、ＬＴＥ  Ｖ２Ｘがブロードキャストサービスのみをサポートし、ＣＳＩのブロードキャストサービスに対する作用が限られていることに鑑み、ＬＴＥ  Ｖ２Ｘは、ＣＳＩの測定及び報告に対してのサポートを提供していない。これに対して、ＮＲ  Ｖ２Ｘは、ユニキャストサービス及びグループキャストサービスをもサポートする必要があり、また、ＣＳＩは、ＮＲ  Ｖ２Ｘにおけるユニキャストサービス及びグループキャストサービスにとってより大きな意義を有する。よって、Ｖ２Ｘにおいて如何にＣＳＩを取得するかは、研究及び解決する必要のある問題の１つである。
【０００９】
上述の問題の少なくとも１つに鑑み、本発明の実施例では、参照信号の送受信方法及び装置が提供される。
【課題を解決するための手段】
【００１０】
本発明の実施例における第一側面によれば、ＨＡＲＱ−ＡＣＫ信号の送信方法が提供され、該送信方法は、
第一装置がサイドリンクＨＡＲＱ−ＡＣＫ信号を確定し、そのうち、前記サイドリンクＨＡＲＱ−ＡＣＫ信号は時間間隔の第一部分のシンボルにおいてキャリー（ｃａｒｒｙ）され；及び
前記第一装置が第二装置に前記サイドリンクＨＡＲＱ−ＡＣＫ信号を送信することを含む。
【００１１】
本発明の実施例における第二側面によれば、ＨＡＲＱ−ＡＣＫ信号の送信装置が提供され、該送信装置は、
サイドリンクＨＡＲＱ−ＡＣＫ信号を確定する信号確定ユニットであって、そのうち、前記サイドリンクＨＡＲＱ−ＡＣＫ信号は時間間隔の第一部分のシンボルにおいてキャリーされる、もの；及び
第二装置にサイドリンクＨＡＲＱ−ＡＣＫ信号を送信する信号送信ユニットを含む。
【００１２】
本発明の実施例における第三側面によれば、ＨＡＲＱ−ＡＣＫ信号の受信方法が提供され、該受信方法は、
第二装置が第一装置送信のサイドリンクＨＡＲＱ−ＡＣＫ信号を受信することを含み、
そのうち、前記サイドリンクＨＡＲＱ−ＡＣＫ信号は時間間隔の第一部分のシンボルにおいてキャリーされる。
【００１３】
本発明の実施例における第四側面によれば、ＨＡＲＱ−ＡＣＫ信号の受信装置が提供され、該受信装置は、
第一装置送信のサイドリンクＨＡＲＱ−ＡＣＫ信号を受信する信号受信ユニットを含み、
そのうち、前記サイドリンクＨＡＲＱ−ＡＣＫ信号は時間間隔の第一部分のシンボルにおいてキャリーされる。
【００１４】
本発明の実施例における第五側面によれば、通信システムが提供され、それは、
上述の第二側面に記載のＨＡＲＱ−ＡＣＫ信号の送信装置を含む第一装置；及び
上述の第四側面に記載のＨＡＲＱ−ＡＣＫ信号の受信装置を含む第二装置を含む。
【００１５】
本発明の実施例の有利な効果は次のとおりであり、即ち、ＣＳＩを得るためのサイドリンク参照信号（以下、ＸＲＳとも言う）が時間間隔の第一部分のシンボルにおいてキャリーされることにより、Ｖ２ＸにおいてＣＳＩの測定及び報告をサポートすることができ、異なるシナリオ及び異なるサービスのニーズを満たすことができる。
【００１６】
後述の説明及び図面を参照することで、本発明の特定の実施形態を詳しく開示し、本発明の原理を採用し得る態様を示す。なお、本発明の実施形態は、範囲上ではこれらにより限定されない。添付した特許請求の範囲内であれば、本発明の実施形態は、様々な変更、修正及び代替によるものを含んでも良い。
【００１７】
また、１つの実施方式について説明した及び／又は示した特徴は、同じ又は類似した方式で１つ又は複数の他の実施形態に用い、他の実施形態における特徴と組み合わせ、又は、他の実施形態における特徴を置換することもできる。
【００１８】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１９】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【図１】本発明の実施例における通信システムを示す図である。
【図２】本発明の実施例における参照信号の送信方法を示す図である。
【図３】本発明の実施例におけるサイドリンク参照信号及び伝送情報を示す図である。
【図４】本発明の実施例におけるサイドリンク参照信号をキャリーする時間間隔の一例を示す図である。
【図５】本発明の実施例におけるサイドリンク参照信号をキャリーする時間間隔の他の例を示す図である。
【図６】本発明の実施例におけるサイドリンク参照信号をキャリーする時間間隔の他の例を示す図である。
【図７】本発明の実施例におけるサイドリンク参照信号をキャリーする時間間隔の他の例を示す図である。
【図８】本発明の実施例におけるサイドリンク参照信号をキャリーする時間間隔の他の例を示す図である。
【図９】本発明の実施例におけるサイドリンク参照信号をキャリーする時間間隔の他の例を示す図である。
【図１０】本発明の実施例におけるサイドリンク参照信号をキャリーする時間間隔の他の例を示す図である。
【図１１】本発明の実施例におけるサイドリンク参照信号をキャリーする時間間隔の他の例を示す図である。
【図１２】本発明の実施例におけるサイドリンク参照信号をキャリーする時間間隔の他の例を示す図である。
【図１３】本発明の実施例におけるサイドリンク参照信号をキャリーする時間間隔の他の例を示す図である。
【図１４】本発明の実施例における参照信号の送信方法を示す他の図である。
【図１５】本発明の実施例における複数のサービスの伝送を例示的に示す図である。
【図１６】本発明の実施例におけるサイドリンク参照信号を送信するリソースを示す図である。
【図１７】本発明の実施例におけるサイドリンク参照信号を送信するリソースを示す他の図である。
【図１８】本発明の実施例における参照信号の送信方法を示す他の図である。
【図１９】本発明の実施例における参照信号の受信方法を示す図である。
【図２０】本発明の実施例における参照信号の送信装置を示す図である。
【図２１】本発明の実施例における参照信号の受信装置を示す図である。
【図２２】本発明の実施例におけるネットワーク装置を示す図である。
【図２３】本発明の実施例における端末装置を示す図である。
【発明を実施するための形態】
【００２０】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載されている実施形態に限定されず、即ち、本発明は、添付した特許請求の範囲内のすべての変更、変形及び代替によるものも含むということである。
【００２１】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００２２】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来開発される通信プロトコルである。
【００２３】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００２４】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良く、これは、該用語のコンテキストによるものである。
【００２５】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００２６】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００２７】
また、例えば、ＩｏＴ（Ｉｎｔｅｒｎｅｔ  ｏｆ  Ｔｈｉｎｇｓ）などのシナリオにおいて、ユーザ装置は、さらに、監視又は測定を行う機器又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００２８】
本発明の実施例では、セルがサービングセルであっても良く、セルに対応するキャリアであっても良く、あるいは、セルは、キャリアと一対一対応すると理解されても良い。
【００２９】
本発明の実施例では、ＤＣ（ｄｕａｌ  ｃｏｎｎｅｃｔｉｖｉｔｙ  ｏｐｅｒａｔｉｏｎ）の場合、特殊セルとは、ＭＣＧ（ｍａｓｔｅｒ  ｃｅｌｌ  ｇｒｏｕｐ）におけＰｃｅｌｌ（Ｐｒｉｍａｒｙ  Ｃｅｌｌ）及びＳＣＧ（ｓｅｃｏｎｄａｒｙ  ｃｅｌｌ  ｇｒｏｕｐ）におけるＰＳＣｅｌｌ（Ｐｒｉｍａｒｙ  Ｓｅｃｏｎｄａｒｙ  Ｃｅｌｌ）を指し、そうでない場合、特殊セルとは、Ｐｃｅｌｌを指す。
【００３０】
以下、例を挙げて本発明の実施例におけるシナリオについて説明を行うが、本発明は、これに限られない。
【００３１】
図１は、本発明の実施例における通信システムを示す図であり、端末装置及びネットワーク装置を例にとったケースを例示する。図１に示すように、通信システム１００は、ネットワーク装置１０１及び端末装置１０２を含んでも良い。便宜のため、図１では、２つの端末装置及び１つのネットワーク装置を例にとって説明するが、本発明の実施例はこれに限定されない。
【００３２】
本発明の実施例では、ネットワーク装置１０１と端末装置１０２との間は、従来のトラフィック又は将来実施可能なトラフィックが行われても良い。これらのトラフィックは、例えば、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含むが、これに限定されない。
【００３３】
なお、図１では、２つの端末装置１０２がすべてネットワーク装置１０１のカバレッジ内にあることが示されているが、本発明はこれに限られない。２つの端末装置１０２はすべてネットワーク装置１０１のカバレッジ内に位置しなくても良い。あるいは、１つの端末装置１０２がネットワーク装置１０１のカバレッジ内にあり、もう１つの端末装置１０２がネットワーク装置１０１のカバレッジ外に位置しても良い。
【００３４】
本発明の実施例では、２つの端末装置１０２の間はサイドリンク伝送を行うことができる。例えば、２つの端末装置１０２はすべて、ネットワーク装置１０１のカバレッジ内でサイドリンク伝送を行ってＶ２Ｘ通信を実現しても良く、又は、ネットワーク装置１０１のカバレッジ外でサイドリンク伝送を行ってＶ２Ｘ通信を実現しても良く、さらに、１つの端末装置１０２がネットワーク装置１０１のカバレッジ内にあり、もう１つの端末装置１０２がネットワーク装置１０１のカバレッジ外にあり、両者はサイドリンク伝送を行ってＶ２Ｘ通信を実現しても良い。
【００３５】
本発明の実施例では、サイドリンク及びＶ２Ｘを例にとって説明するが、本発明はこれに限られない。
【実施例１】
【００３６】
本発明の実施例では、参照信号の送信方法が提供され、送信装置（第一装置とも言う）側から説明が行われる。そのうち、該送信装置は端末装置であっても良いが、本発明はこれに限られず、例えば、路側装置又はネットワーク装置であっても良い。
【００３７】
本発明の実施例では、サイドリンク参照信号の前にＡＧＣシンボル及び／又はガード区間がリザーブ（ｒｅｓｅｒｖｅ）されても良く、又は、参照信号がＡＧＣトレーニング信号とされても良く、又は、参照信号がＮＲ  Ｕｕの柔軟なスロットフォーマットを用いて伝送されても良いが、本発明はこれに限られない。これにより、ＣＳＩ測定の正確さを向上させ、参照信号と他の情報の柔軟な多重化、及び、サイドリンクとＮＲ  Ｕｕの間のリソース共有をサポートし、サイドリンクの周波数スペクトル利用率を向上させることができる。
【００３８】
図２は、本発明の実施例における参照信号の送信方法を示す図である。図２に示すように、前記方法は以下のステップを含む。
【００３９】
ステップ２０１：第一装置がＣＳＩを得るためのサイドリンク参照信号を確定し、そのうち、前記サイドリンク参照信号は、時間間隔（ｔｉｍｅ  ｉｎｔｅｒｖａｌ）の第一部分のシンボル（１つ又は複数）においてキャリーされ；及び
ステップ２０２：第一装置が第二装置に前記サイドリンク参照信号を送信する。
【００４０】
１つの実施例において、前記時間間隔は次のようなもののうちの少なくとも１つを含み、即ち、スロット（ｓｌｏｔ）、サブフレーム（ｓｕｂｆｒａｍｅ）、フレーム（ｆｒａｍｅ）、非スロット（ｎｏｎ−ｓｌｏｔ）及びミニスロット（ｍｉｎｉ−ｓｌｏｔ）である。ただし、本発明はこれに限られない。以下、スロットを例として説明を行う。
【００４１】
なお、上述の図２は、本発明の実施例を例示的に説明するためのものに過ぎず、本発明はこれに限られない。例えば、各ステップの間の実行順序を適切に調整したり、幾つかのステップを増減したりすることもできる。即ち。当業者は、図２の記載に基づいて、上述の内容に対して適切に変形を行っても良い。
【００４２】
また、上述のステップ２０１における“確定”とは、設定情報に基づいて事前設定すること、又は、指示情報に基づいて事前確定されることを指しても良く、あるいは、リソースがサイドリンク参照信号に割り当てられているが、サイドリンク参照信号がまだ送信されていないというように理解しても良い。なお、本発明はこれに限られない。
【００４３】
図３は、本発明の実施例におけるサイドリンク参照信号（ＸＲＳ）及び伝送情報を示す図である。前記伝送情報（情報と略称しても良い）は次のようなもののうちの少なく１つを含んでも良く、即ち、制御情報、データ情報及びフィードバック情報である。なお、本発明はこれに限られない。
【００４４】
例えば、図３に示すユニキャストシナリオを考慮して、装置１は装置２に制御（シグナリング）及びデータ情報（例えば、データがシグナリングにより行スケジューリングされる）を送信することができ；装置２は装置１にフィードバック情報、例えば、ハイブリッド自動再送要求確認情報（ＨＡＲＱ−ＡＣＫ）、ＭＣＳ、チャネル品質指示（ＣＱＩ、Ｃｈａｎｎｅｌ  Ｑｕａｌｉｔｙ  Ｉｎｄｉｃａｔｏｒ）、ＰＭＩ、ランク指示（ＲＩ、Ｒａｎｋ  Ｉｎｄｉｃａｔｏｒ）及びビーム（ｂｅａｍ）情報のうちの少なくとも１つを送信することができ；装置２も装置１に制御情報及びデータ情報を送信することができ、また同様に、装置１も装置２にフィードバック情報を送信することができる。
【００４５】
図３に示すように、装置１は、装置２がＣＳＩを得るための参照信号を送信することができ、この参照信号をＸＲＳと記しても良く、ＸＲＳは、チャネル状態情報参照信号（ＣＳＩ−ＲＳ）又はサウンディング参照信号（ＳＲＳ、Ｓｏｕｎｄｉｎｇ  Ｒｅｆｅｒｅｎｃｅ  Ｓｉｇｎａｌ）と称されても良い。装置２はＸＲＳを測定することができ、また、装置１から装置２への方向のチャネルのＣＳＩを得ることができる。サイドリンクについて言えば、装置間で同じ周波数リソースを用いて通信を行うため、装置２はさらに、チャネルの相互関係（ｒｅｃｉｐｒｏｃｉｔｙ）を用いて、装置２から装置１への方向のチャネルのＣＳＩを得ることもできる。
【００４６】
例えば、ＣＳＩに基づいて、装置２は装置１へのデータに対してリンク適応を行うことができ、例えば、最もチャネルに適応したＭＣＳ、ＰＭＩ、ビーム、ランクなどのパラメータをデータ送信のために選択することができる。装置２も、装置１からのデータのリンク適応の制御を補助することができ、例えば、装置２は、最もチャネルに適応したＭＣＳ、ＰＭＩ、ビーム、ランクなどのパラメータをシグナリングにより装置１に指示することができる。このようなシグナリングは、物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）及び／又は物理サイドリンクデータチャネル（ＰＳＳＣＨ、Ｐｈｙｓｉｃａｌ  Ｓｉｄｅｌｉｎｋ  Ｓｈａｒｅｄ  Ｃｈａｎｎｅｌ）によりキャリーすることができる。
【００４７】
また、例えば、装置２はシグナリングにより、装置１が周期的にＸＲＳを送信するように設定しても良く、又は、シグナリングにより、装置１が一回のみのＸＲＳ送信を行うようにトリガーしても良く、このようなシグナリングはすべてＰＳＣＣＨ及び／又はＰＳＳＣＨによりキャリーすることができる。あるいは、ネットワーク装置はＵｕインターフェースのシグナリングにより、ＸＲＳ設定情報を装置１及び装置２に通知しても良い。あるいは、装置１は、事前定義の複数のＸＲＳ設定のうちから１つを選択して送信を行い、また、シグナリングによりＸＲＳ設定を装置２に通知しても良い。サイドリンク伝送は、スロット又はサブフレーム又は非スロット（ｎｏｎ−ｓｌｏｔ）を粒度としても良い。以下、スロットを例にとって説明を行う。
【００４８】
本発明の実施例では、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）、ＤＦＴ−ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘ）などの波形を使用することができる。よって、上述のシンボルは、ＯＦＤＭ又はＳＣ−ＦＤＭＡ又はＤＦＴ−ｓ−ＯＦＤＭなどのシンボルであっても良く、以下、シンボルと略称する。なお、本発明はこれに限られない。
【００４９】
Ｖ２Ｘ装置は、データを受信するときに、自動利得制御を行うための所定の期間を要する。ＮＲ  Ｖ２Ｘについて、ＸＲＳ受信の完全性及びＸＲＳ測定の正確さを保証するために、本発明の実施例では、ＸＲＳシンボルの前に自動利得制御（ＡＧＣ、Ａｕｔｏｍａｔｉｃ  Ｇａｉｎ  Ｃｏｎｔｒｏｌ）のための所定の期間をリザーブすることができ、即ち、若干個の（１つ又は複数の）ＡＧＣシンボルをリザーブし、これにより、ＸＲＳを正確に受信するために自動利得制御を行うための十分な時間を予備することができる。該ＡＧＣシンボルは、ＡＧＣトレーニング信号又は他の任意の形式の信号を送信するために用いられる。
【００５０】
また、ＸＲＳを送信する或るスロットについて、ＸＲＳは時間領域上で往々にしてスロット内の一部のシンボルのみを占用する必要がある。例えば、ＸＲＳがＮＲ  Ｕｕに定義されるＣＳＩ−ＲＳ又はＳＲＳフォーマットをそのまま使用する場合、ＸＲＳは最大でも時間領域上で４つのシンボルを用いて伝送されるが、１つスロットには１４個のシンボルが含まれる。スロット内でＸＲＳにより使用されないシンボルについて、それが使用されなければ、一方では、リソースの浪費になり、他方では、一回の情報送受信の機会が失われ、低遅延の目標の達成に不利である。そのため、本発明の実施例は、ＸＲＳ及びデータ情報、制御情報、フィードバック情報の、同一スロット内での柔軟な多重化をサポートし得るスキームを提供し、ＸＲＳを送信するスロット内では、ＸＲＳにより使用されないシンボル上で伝送情報の送受信を実現することができる。
【００５１】
ＸＲＳを送信する必要のある或る装置について、或るスロット内で、該装置は、ＸＲＳのみを送信する必要がある可能性があり、ＸＲＳ及び他の情報を同時に送信する必要がある可能性があり、又は、ＸＲＳを送信する必要があると同時に他の情報を受信する必要がある可能性がある。ここで、他の情報とは、ＸＲＳ以外の情報（以下、伝送情報と言う）を指し、データ情報、制御情報及びフィードバック情報を含んでも良い。
【００５２】
１つの実施例において、前記時間間隔にはさらに、ガード区間又はガード周期（ｇｕａｒｄ  ｐｅｒｉｏｄ）ための第二部分のシンボル（１つ又は複数）が含まれても良い。
【００５３】
１つの実施例において、前記第二部分のシンボルは、前記サイドリンク参照信号をキャリーする前記第一部分のシンボルの後ろに位置しても良く、前記第一部分のシンボル及び前記第二部分のシンボルは前記時間間隔の後部（後ろの部分）に位置する。
【００５４】
１つの実施例において、前記時間間隔にはさらに、自動利得制御を行うための第三部分のシンボル（１つ又は複数）が含まれても良く、前記第三部分のシンボルは、前記サイドリンク参照信号をキャリーする前記第一部分のシンボルの前に位置する。
【００５５】
図４は、本発明の実施例におけるサイドリンク参照信号をキャリーする時間間隔の一例を示す図であり、スロット内でＸＲＳのみを送信するときの一例を示している。図４に示すように、スロットの最後のＧ（Ｇ≧１）個のシンボルが、ガード区間又はガード周期（ｇｕａｒｄ  ｐｅｒｉｏｄ）として用いられ、スロットとスロットとの間の可能な送受信の切り替えのために時間を確保し、ガード区間内では情報の送受信が行われない。ＸＲＳはガード区間の前のＸ（Ｘ≧１）個のシンボルに位置し、ＸＲＳの所在するスロット及びＸの値は、図３に示す装置２がシグナリングにより装置１に通知しても良く、又は、ネットワーク装置がシグナリングにより装置１及び装置２に通知しても良い。
【００５６】
図４に示すように、ＸＲＳをスロットの尾部に位置させても良い。一方では、ＸＲＳがＮＲ  Ｕｕの柔軟なスロットフォーマット（ｆｌｅｘｉｂｌｅ  ｓｌｏｔ  ｆｏｒｍａｔ）における“Ｆ”（ｆｌｅｘｉｂｌｅ）及び／又は“Ｕ”（ｕｐｌｉｎｋ）シンボルを用いて伝送されることに便利である。これは、サイドリンクが通常、ＮＲ  Ｕｕの上りリンク周波数リソースしか使用できず、“Ｆ”及び／又は“Ｕ”シンボルが柔軟なスロットの尾部に位置するからである。これにより、サイドリンクがＮＲ  Ｕｕリソースを共有することをサポートすることができるため、周波数スペクトル利用効率を向上させることができる。
【００５７】
例えば、ＮＲ  Ｕｕスロットに比較的少ない“Ｆ”及び／又は“Ｕ”シンボルのみがあるときに、サイドリンクデータを送信するために用いられる場合、ＡＧＣシンボル、ガード区間及び復調参照信号（ＤＭ−ＲＳ、Ｄｅ−Ｍｏｄｕｌａｔｉｏｎ  Ｒｅｆｅｒｅｎｃｅ  Ｓｉｇｎａｌ）が一部のシンボルを占用する必要があり、実際にデータ送信のために用いられ得るシンボルがとても少ないので、利用効率は高くない。これらの“Ｆ”及び／又は“Ｕ”シンボルがＸＲＳを送信するために用いられる場合、ＸＲＳがＤＭ−ＲＳのオーバーヘッドを必要としないので、この部分の“Ｆ”及び／又は“Ｕ”シンボルの利用効率を向上させることができる。
【００５８】
他方では、現在のスロットにおいて送信又は受信する必要のある高優先度サービスがあり（例えば、現在のスロットにおいて該サービスをスケジューリングするシグナリングが受信される場合）、且つ該サービスがＸＲＳの所在するシンボルを使用する必要があるときに、ＸＲＳがスロットの尾部に位置するため、装置は依然としてＸＲＳ送信を取り消す時間があり、代わりに高優先度サービスの送信又は受信を行う。本発明の実施例では、ＸＲＳの周波数領域位置及び信号フォーマットについて限定せず、例えば、ＸＲＳは、ＮＲ  Ｒｅｌ−１５におけるＳＲＳ又はＣＳＩフォーマットをそのまま使用することができる。Ａ（Ａ≧１）個のＡＧＣシンボルがＸＲＳの前に位置し、該ＡＧＣシンボルは信号を送信する必要があり、送信される信号はＡＧＣトレーニング信号又は他の任意の形式の信号であっても良い。
【００５９】
１つの実施例において、前記時間間隔にはさらに、伝送情報をキャリーするための第四部分のシンボルを含んでも良い。
【００６０】
１つの実施例において、前記第一部分のシンボルと前記第四部分のシンボルとの間にはさらに、ガード区間のための第五部分のシンボルがあっても良い。
【００６１】
１つの実施例において、前記時間間隔にはさらに、自動利得制御を行うための第六部分のシンボルが含まれても良く、前記第六部分のシンボルが前記第四部分のシンボルの前に位置し、又は、前記第四部分のシンボルの前の若干個のシンボルが自動利得制御を行うための第六部分のシンボルとされても良い。
【００６２】
例えば、ＸＲＳにより使用されないシンボルが情報を受信するために用いられ得る。
【００６３】
図５は、本発明の実施例におけるサイドリンク参照信号をキャリーする時間間隔の他の例を示す図であり、スロット内で情報受信及びＸＲＳ送信が同時に存在するときの一例を示している。図５に示すように、Ａ１（Ａ１≧１）個のＡＧＣ１シンボルが信号を受信するために用いられ、受信した信号に基づいて自動利得制御を行う。後続のＩ（Ｉ≧１）個のシンボルが他の装置からの情報を受信するために用いられ得る。なお、本発明の実施例に言及される情報は、制御情報、データ情報及びフィードバック情報のうちの少なくとも１つであっても良い。
【００６４】
図５では、“ＡＧＣ受信”シンボルは１種の可能な場合を例示するためのものに過ぎず、該ＡＧＣシンボルがキャリーするのはＡＧＣトレーニング信号であっても良く、有効な情報であっても良い。有効な情報をキャリーするときに、受信装置は、これらのＡＧＣシンボルを情報の復調とデコーディングのために使用しても良い。受信装置が図５に示すＡＧＣシンボルを用いて自動利得制御を行うかは実装（ｉｍｐｌｅｍｅｎｔａｔｉｏｎ）により異なり、例えば、受信装置は、自動利得制御を調整する必要がないと見なすときに、各スロットで自動利得制御を行う必要がない。要するに、自動利得制御に関する部分については従来技術をそのまま使用しても良く、本発明はそれを変更しない。上述の説明は、本発明の図５に示す“ＡＧＣ送信”シンボル、又は、他の図の中の“ＡＧＣ受信”及び／又は“ＡＧＣ送信”にも適用され得る。
【００６５】
図５に示すように、その次のＧ１（Ｇ１≧１）個のシンボルは情報送受信を行わず、ガード区間１とされることで、情報受信とＡＧＣ２及びＸＲＳ送信との送受信の切り替えのために時間を確保することができる。Ａ２（Ａ２≧１）個のＡＧＣ２シンボル内では、ＡＧＣトレーニング信号又は他の形式の信号を、ＸＲＳの自動利得制御のために送信する必要がある。Ｘ（Ｘ≧１）個のシンボルはＸＲＳ送信のために用いられる。Ｇ２（Ｇ２≧１）個のシンボルは情報送受信を行わず、ガード区間２とされることで、スロットとスロットとの間の可能な送受信の切り替えのために時間を確保することができる。
【００６６】
また、例えば、ＸＲＳにより使用されないシンボルが情報を送信するために用いられ得る。
【００６７】
図６は、本発明の実施例におけるサイドリンク参照信号をキャリーする時間間隔の他の例を示す図であり、スロット内に情報送信及びＸＲＳ送信が同時に存在するときの一例を示している。図６に示すように、同一スロット内の送信パワーが変化しないため、スロットの中の前のＡ（Ａ≧１）個のＡＧＣシンボル内で送信される信号は、情報及びＸＲＳの共同の自動利得制御のために用いられても良い。情報及びＸＲＳ間に送受信の切り替えが存在しないので、両者の間はガード区間が要されない。ＡＧＣ及びガード区間のシンボルのオーバーヘッドを節約しているため、周波数スペクトル効率を向上させることができる。
【００６８】
ＸＲＳを送信する第一装置は、情報の送受信が必要であるかに基づいて、図４−図６のうちのどの種のスロットフォーマットを使用するかを決定することができる。例えば、ＸＲＳを送信するスロット内で情報を受信する必要があるときに、図５に示すスロットフォーマットを使用し、ＸＲＳを送信するスロット内で情報を送信する必要があるときに、図６に示すスロットフォーマットを使用する。
【００６９】
図７は、本発明の実施例におけるサイドリンク参照信号をキャリーする時間間隔の他の例を示す図であり、図４−図６に対応する。図７は、ＸＲＳ受信の角度から例示的に説明する。図７は、図４−図６中の送受信方向と逆である。
【００７０】
図８は、本発明の実施例におけるサイドリンク参照信号をキャリーする時間間隔の他の例を示す図であり、スロット内に情報送信及びＸＲＳ送信が同時に存在するときの一例を示している。図８に示すように、ＸＲＳを送信するスロット内で情報を送信する必要があるときに、図８におけるスロットフォーマットを用いてＸＲＳ送信及びＸＲＳ受信を行うこともできる。これにより、統一したＸＲＳスロットフォーマットを有し、設計を簡略化することができる。
【００７１】
また、例えば、受信装置はＸＲＳに基づいてＣＳＩの推定及び報告を行うことができる。ＣＳＩをキャリーするシンボルはスロットの尾部に位置しても良い。また、ＨＡＲＱ−ＡＣＫはスロットの尾部のシンボルを用いて送信を行うこともできる。ＣＳＩ及び／又はＨＡＲＱ−ＡＣＫは、上述のＸＲＳと同じスロット構造を用いて送信され得る。ＣＳＩ及び／又はＨＡＲＱ−ＡＣＫがスロットの尾部の若干個のシンボルを用いて送信され、ＣＳＩ及び／又はＨＡＲＱ−ＡＣＫをキャリーするシンボルの前に位置する若干個のシンボルがＡＧＣとされても良く、ＣＳＩ及び／又はＨＡＲＱ−ＡＣＫをキャリーするシンボルの後ろに位置する若干個のシンボルがガード区間とされても良く、即ち、上述の実施方式及び図４〜図８における“ＸＲＳ送信”及び“ＸＲＳ受信”をそれぞれ“ＣＳＩ及び／又はＨＡＲＱ−ＡＣＫ送信”及び“ＣＳＩ及び／又はＨＡＲＱ−ＡＣＫ受信”で置換しても良い。
【００７２】
１つの実施例において、前記第一部分のシンボルはさらに自動利得制御を行うために用いられ得る。
【００７３】
例えば、ＮＲ  Ｖ２Ｘについて、幾つかの条件の下で１対の送受信装置の間の送信パワーに著しい変化が生じることがなく、及び／又は、チャネルが比較的強い相関性を有することができる。例えば、１対の送受信装置又は１つの車隊における車両（車隊の中の任意の１対のメンバーが１対の送受信装置と見なされても良）は、同じ又は近い速度で同一方向に沿って移動することがある。このときに、周期的送信のＸＲＳについて、ＸＲＳシンボルの前にＡＧＣシンボルをリザーブする必要がなく、直接、ＸＲＳをＡＧＣトレーニング信号として使用しても良い。
【００７４】
図９は、本発明の実施例におけるサイドリンク参照信号をキャリーする時間間隔の他の例を示す図であり、ＸＲＳを受信する第二装置の角度から例示的に説明する。図９に示すように、周期的送信のＸＲＳについて、ＸＲＳシンボルの前にＡＧＣシンボルをリザーブする必要がなく、直接、ＸＲＳをＡＧＣトレーニング信号として使用しても良く、即ち、第二装置は、前の或る回に受信したＸＲＳに基づいて自動利得制御を調整した後に、その後の所定の期間内で自動利得制御の調整を行う必要がなく、代わりに、前回の調整結果に基づいて、直接、後続の若干個のＸＲＳに対して受信を行うことができる。所定の期間を経過した後に、再び上述の過程を繰り返すことで、連続してＡＧＣを校正する目的を達成することができる。
【００７５】
図１０は、本発明の実施例におけるサイドリンク参照信号をキャリーする時間間隔の他の例を示す図であり、ＸＲＳをＡＧＣトレーニング信号として使用するときのＸＲＳ送信スロット及びＸＲＳ受信スロットのスロットフォーマットを示している。ＸＲＳをＡＧＣトレーニングシンボルとして使用するため、ＸＲＳシンボルの前にＡＧＣシンボルをリザーブすることを要しない。これにより、ＡＧＣシンボルのオーバーヘッドを減少させ、リソース利用率を向上させることができる。
【００７６】
図１１は、本発明の実施例におけるサイドリンク参照信号をキャリーする時間間隔の他の例を示す図であり、ＸＲＳをＡＧＣトレーニング信号として使用するときのＸＲＳ送信スロット及びＸＲＳ受信スロットのスロットフォーマットを示している。図１１に示すように、スロット内で情報及びＸＲＳを同時に送信又は受信する必要があるときに、統一したＸＲＳスロットフォーマットを使用することもできる。これにより、ＸＲＳスロットはすべて、統一したＸＲＳスロットフォーマットを有し、設計を簡略化することができる。
【００７７】
１つの実施例において、前記第一部分のシンボルは前記時間間隔の前部に位置しても良い。
【００７８】
図１２は、本発明の実施例におけるサイドリンク参照信号をキャリーする時間間隔の他の例を示す図であり、ＸＲＳをＡＧＣトレーニング信号として使用するときにＸＲＳをスロットの頭部に位置させる場合を示している。図１２に示すように、装置はＸＲＳを受信するときに、スロットが始まると、ＸＲＳを用いて自動利得制御を行い、そして、その結果をスロット内の後続のシンボルの復調とデコーディングに適用することができる。スロット内でＸＲＳ及び情報を同時に送信する必要があるときに、ＸＲＳがＡＧＣトレーニング信号とされるから、図１２の場合は、ＡＧＣシンボルをリザーブする必要がなくても良い。これにより、ＡＧＣシンボルのオーバーヘッドを節約しているため、周波数スペクトル効率を向上させることができる。
【００７９】
図１３は、本発明の実施例におけるサイドリンク参照信号をキャリーする時間間隔の他の例を示す図であり、ＸＲＳをＡＧＣトレーニング信号として使用するときにＸＲＳをスロットの頭部に位置させる場合を示している。図１３に示すように、スロット内で情報及びＸＲＳを同時に送信又は受信する必要があるときに、統一したＸＲＳスロットフォーマットを使用することもできる。これにより、ＸＲＳスロットはすべて、統一したＸＲＳスロットフォーマットを有し、設計を簡略化することができる。
【００８０】
また、送受信装置の間のチャネルの相関性が強くなく、又は、装置間の距離が迅速に変化するなどのシナリオについて、図１２及び図１３のＸＲＳの所在するシンボルの前にＡＧＣシンボルを、スロットバイスロット（ｓｌｏｔ  ｂｙ  ｓｌｏｔ）で自動利得制御を行うためにリザーブしても良い。
【００８１】
なお、以上、スロットを例にとって、サイドリンク参照信号をキャリーする時間間隔を例示的に説明したが、本発明はこれに限られない。以下、パワー制御の関連内容について説明する。
【００８２】
１つの実施例において、前記第一装置は、パワー制御状態、あるいは、ネットワーク装置及び／又は端末装置から受信したパワー制御に関するシグナリングに基づいて、前記第一シンボルの前に自動利得制御を行うための第三部分のシンボルがあるかを確定することができる。
【００８３】
１つの実施例において、前記第一装置は、パワー制御状態、又はネットワーク装置及び／又は端末装置から受信したパワー制御に関するシグナリングに基づいて、前記第四シンボルの前に自動利得制御を行うための第六部分のシンボルがあるかを確定し、又は前記第四部分のシンボルの前の１つ又は複数のシンボルが自動利得制御を行うための第六部分のシンボルとされるかを確定することができる。
【００８４】
例えば、ユニキャストサービス及びグループキャストサービスについて、ＮＲ  Ｖ２Ｘは送受信装置に対してパワー制御、例えば、開環パワー制御及び閉環パワー制御を行うことができる。パワー制御により、受信装置の信号対ノイズ比を一定の範囲内に安定化することができる。送受信装置の間で良好なパワー制御を達成した後に、ＡＧＣシンボルをリザーブしなくても良く、これにより、オーバーヘッドを低減し、周波数スペクトル効率を向上させることができる。
【００８５】
上述のＸＲＳシンボルの前にＡＧＣシンボルをリザーブするか、及び／又は、情報シンボルの前にＡＧＣシンボルをリザーブするかは、パワー制御状態によっても良い。例えば、或るＶ２Ｘ装置が他のＶ２Ｘ装置及び／又はネットワーク装置からのシグナリングを受信したときに、該Ｖ２Ｘ装置は信号を送信するときに、ＸＲＳシンボル及び／又は情報シンボルの前にＡＧＣシンボルをリザーブせず、即ち、スロットの中でガード区間以外のシンボルはすべてＸＲＳ及び／又は情報を送信するために用いられ得る。
【００８６】
上述のシグナリングは上位層シグナリング、例えば、無線リソース制御（ＲＲＣ、Ｒａｄｉｏ  Ｒｅｓｏｕｒｃｅ  Ｃｏｎｔｒｏｌ）、媒体アクセス制御（ＭＡＣ、Ｍｅｄｉａ  Ａｃｃｅｓｓ  Ｃｏｎｔｒｏｌ）制御エレメント（ＣＥ、Ｃｏｎｔｒｏｌ  Ｅｌｅｍｅｎｔ）であっても良く、物理層シグナリング、例えば、物理下りリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）、ＰＳＣＣＨであっても良い。上述のシグナリングは、パワー制御に関するシグナリング、例えば、装置にパワー制御調整を行うことを指示するための下りリンク制御情報（ＤＣＩ、Ｄｏｗｎｌｉｎｋ  Ｃｏｎｔｒｏｌ  Ｉｎｆｏｒｍａｔｉｏｎ）及び／又はサイドリンク制御情報（ＳＣＩ、Ｓｉｄｅｌｉｎｋ  Ｃｏｎｔｒｏｌ  Ｉｎｆｏｒｍａｔｉｏｎ）であっても良い。
【００８７】
以下、サイドリンク参照信号の設定について例示的に説明する。
【００８８】
例えば、サイドリンク及びＮＲ  Ｕｕが同じ周波数スペクトルリソースを使用するときに、ＸＲＳがＮＲ  Ｕｕの“Ｆ”及び／又は“Ｕ”シンボルを用いて送信を行うようにすることにより、周波数スペクトル利用率を効率的に向上させることができる。ＮＲ  Ｕｕの柔軟なスロットフォーマットが通常“Ｄ”“Ｆ”“Ｕ”であり、それぞれ、ｄｏｗｎｌｉｎｋ、ｆｌｅｘｉｂｌｅ及びｕｐｌｉｎｋシンボルを表し、“Ｆ”及び“Ｕ”シンボルはスロットの尾部に位置する。上述のＸＲＳはすべて、“Ｆ”及び／又は“Ｕ”シンボル上で送信されるように設定することができる。ＸＲＳがスロットの尾部に位置する場合、自然にＮＲ  Ｕｕの“Ｄ”“Ｆ”“Ｕ”スロット中の“Ｆ”及び／又は“Ｕ”シンボルを使用しても良く、ＸＲＳがスロットの尾部に位置しない場合、独立して、ＸＲＳをＮＲ  Ｕｕの“Ｄ”“Ｆ”“Ｕ”スロットの尾部に設定しても良く、即ち、ＸＲＳは、異なるスロットにおいて異なる位置を有しても良い。
【００８９】
ＮＲ  Ｕｕのスロットは、比較的少ない“Ｆ”及び／又は“Ｕ”シンボルを含む可能性があり、即ち、比較的少ないシンボルのみがサイドリンク伝送のために用いられ得る。この部分のシンボルがサイドリンクデータ、制御及びフィードバック情報のうちの少なくとも１つを送信するために用いられる場合、ＡＧＣ、ガード区間及びＤＭ−ＲＳが占めるシンボル（オーバーヘッドシンボルに属する）以外に、実際に情報伝送のために用いられ得るシンボルはオーバーヘッドシンボルよりも少ない可能性がある。これに対して、ＸＲＳはＤＭ−ＲＳを必要とせず、さらに、ＸＲＳはＡＧＣシンボルを必要としなくても良く、且つＸＲＳはとても少ないシンボルを用いて正常にワーキングすることができ、例えば、ＮＲ  Ｒｅｌ−１５におけるＳＲＳは、１、２又は４個のシンボルを用いて送信を行うことができる。
【００９０】
ＸＲＳはこれらの特徴により比較的少ないシンボル上での伝送に適している。この部分の“Ｆ”及び／又は“Ｕ”シンボルがＸＲＳを送信するために用いられる場合、この部分のシンボルがとても少なくとも、この部分のシンボルを良く利用することができ、これにより、周波数スペクトル利用率を向上させることができる。ＸＲＳがＮＲ  Ｕｕの“Ｆ”及び／又は“Ｕ”シンボル上で送信されるときに、ＸＲＳ送信が周期性を有しない可能性がある。よって、周期的ＸＲＳを設定するシグナリング以外に、さらに追加のシグナリング及び／又は方法によりＸＲＳをＮＲ  Ｕｕの“Ｆ”及び／又は“Ｕ”シンボル上で送信するように設定する必要がある。
【００９１】
１つの実施例において、ネットワーク装置は、サイドリンク参照信号の設定情報を端末装置（第一装置及び／又は第二装置）に送信することができる。前記第一装置は、ネットワーク装置送信のサイドリンク参照信号の設定情報に基づいて、前記サイドリンク参照信号を送信する前記第一部分のシンボルを確定することができる。あるいは、前記第二装置は、ネットワーク装置送信のサイドリンク参照信号の設定情報に基づいて、前記サイドリンク参照信号を送信する前記第一部分のシンボルを確定し、そして、前記第一部分のシンボル情報を前記第一装置に送信することができる。
【００９２】
例えば、ネットワーク装置がＵｕインターフェースのスロットフォーマット情報を知っているから、ネットワーク装置は、実行可能なＸＲＳ設定を決定することができる。ここで、ネットワーク装置はＬＴＥ基地局及び／又はＮＲ基地局であっても良いが、これに限定されない。該ＸＲＳ設定により、ＸＲＳの所在するスロット、ＸＲＳがスロットの中で使用するシンボル、ＸＲＳが使用するシーケンス、ＸＲＳが使用するサブキャリア、ＸＲＳのＲＥマッピングにおける少なくとも１つの情報を確定することができ、一回のＸＲＳ送信をトリガーすることができ、複数回のＸＲＳ送信を設定することもできる。
【００９３】
ネットワーク装置は、Ｕｕインターフェースのシグナリングにより、ＸＲＳ設定情報をＶ２Ｘ装置に通知することができる。ここでのシグナリングは、上位層シグナリング、例えば、ＲＲＣ、ＭＡＣ  ＣＥなどであっても良く、物理層シグナリング、例えば、ＰＤＣＣＨであっても良い。ネットワーク装置は、ＸＲＳ設定情報をＸＲＳ送信装置及びＸＲＳ受信装置に通知することができる。ネットワーク装置は、ＸＲＳ設定情報をＸＲＳ送信装置に通知することもできる。その後、ＸＲＳ送信装置は、サイドリンクシグナリングにより、ＸＲＳ設定情報をＸＲＳ受信装置に通知し、これは、ＸＲＳの受信を行うように通知することに相当する。ネットワーク装置は、ＸＲＳ設定情報をＸＲＳ受信装置に通知することもでき、その後、ＸＲＳ受信装置は、サイドリンクシグナリングにより、ＸＲＳ設定情報をＸＲＳ送信装置に通知し、これは、ＸＲＳ送信を行うように通知することに相当する。上述のサイドリンクシグナリングは、ＰＳＣＣＨ及び／又はＰＳＳＣＨによりキャリーされ得る。
【００９４】
１つの実施例において、ネットワーク装置は、セルラーリンクのスロットフォーマット設定情報を端末装置に通知することができる。前記第一装置は、ネットワーク装置送信のセルラーリンクのスロットフォーマット設定情報を受信し、及び前記第一装置は、前記セルラーリンクのスロットフォーマット設定情報に基づいて、前記サイドリンク参照信号を送信する前記第一部分のシンボルを確定することができる。あるいは、前記第二装置は、ネットワーク装置送信のセルラーリンクのスロットフォーマット設定情報を受信し、及び前記第二装置は、ネットワーク装置送信のサイドリンク参照信号の設定情報に基づいて、前記サイドリンク参照信号を送信する前記第一部分のシンボルを確定し、そして、前記第一部分のシンボル情報を前記第一装置に送信することができる。
【００９５】
例えば、Ｖ２Ｘ装置は、ＮＲ  Ｕｕインターフェースにより、スロット設定情報を受信及び取得することができ、例えば、上位層パラメータｔｄｄ−ＵＬ−ＤＬ−ＣｏｎｆｉｇｕｒａｔｉｏｎＣｏｍｍｏｎ、ｔｄｄ−ＵＬ−ＤＬ−ＣｏｎｆｉｇｕｒａｔｉｏｎＣｏｍｍｏｎ２、ｔｄｄ−ＵＬ−ＤＬ−ＣｏｎｆｉｇＤｅｄｉｃａｔｅｄのうちの少なくとも１つ、及び／又は、物理層ＰＤＣＣＨシグナリングＤＣＩ  ｆｏｒｍａｔ  ２＿０を得ることができる。このときに、Ｖ２Ｘ装置は、上述の情報により、ＮＲ  Ｕｕインターフェースのスロットフォーマット情報を取得することができる。よって、Ｖ２Ｘ装置は、実行可能なＸＲＳ設定を決定することができる。
【００９６】
ＸＲＳ送信装置は自ら実行可能なＸＲＳ設定を確定し、該設定に基づいてＸＲＳを送信し、また、サイドリンクシグナリングによりＸＲＳ設定情報をＸＲＳ受信装置に通知することができる。あるいは、ＸＲＳ受信装置は自ら実行可能なＸＲＳ設定を確定し、そして、サイドリンクシグナリングにより、ＸＲＳ設定情報をＸＲＳ送信装置に通知することができ、ＸＲＳ送信装置は該設定に基づいてＸＲＳを送信することができる。上述のサイドリンクシグナリングはＰＳＣＣＨ及び／又はＰＳＳＣＨによりキャリーされ得る。
【００９７】
１つの実施例において、前記サイドリンク参照信号の前記第一部分のシンボルは、前記セルラーリンクにおける上りリンクシンボル（Ｕ）及び／又は柔軟なシンボル（Ｆ）に対応する。なお、上述の上りリンクシンボル（Ｕ）、下りリンクシンボル（Ｄ）及び柔軟なシンボル（Ｆ）とは、すべて、セルラーリソースのシンボルを指す。
【００９８】
上述の各実施例又は実施方式は、本発明の実施例を例示的に説明するためのものに過ぎない。本発明はこれに限られず、さらに、以上の各実施例又は実施方式を基礎として適切な変形を行っても良い。例えば、上述の各実施例又は実施方式を単独で使用しても良く、以上の各実施例又は実施方式のうちの１つ又は複数を組み合わせて使用しても良い。
【００９９】
上述の実施例から分かるように、ＣＳＩを得るためのサイドリンク参照信号（以下、ＸＲＳとも言う）が時間間隔の第一部分のシンボルにおいてキャリーされることにより、Ｖ２ＸにおいてＣＳＩの測定及び報告をサポートすることができ、異なるシナリオ及び異なるサービスのニーズを満たすことができる。
【実施例２】
【０１００】
本発明の実施例は参照信号の送信方法を提供し、ここでは実施例１と同じ内容の記載を省略する。本実施例２は単独で実現されても良く、実施例１と組み合わせて実現されても良い。本発明の実施例では、幾つかの情報がサイドリンク参照信号のリソースをプリエンプト（ｐｒｅｅｍｐｔ）して伝送されても良く、幾つかの情報がサイドリンク参照信号とともに同じスロットに多重化されて伝送されても良い。これにより、異なる類型及び／又は優先度のサービスの間の共有リソースを柔軟にサポートし、サイドリンクの周波数スペクトル利用率を向上させることができる。
【０１０１】
例えば、ＮＲ  Ｖ２Ｘ装置は、ＸＲＳを送受信するスロット内で他の情報を送受信する必要がある場合がある。該情報は、サイドリンクによる送受信されるユニキャスト情報、グループキャスト情報又はブロードキャスト情報であっても良く、又は、ＮＲ  Ｕｕインターフェースにより送受信される情報であっても良い。また、該情報は、データ情報、制御情報、フィードバック情報であっても良いが、本発明はこれに限られない。
【０１０２】
幾つかの情報が時間及び／又は周波数上でスロット内のＸＲＳとオーバーラップすることが避けられない。例えば、ＮＲ  Ｖ２Ｘ装置がＸＲＳを送受信するスロット内でブロードキャスト情報を送受信する必要もある場合、ブロードキャスト情報が時間上でスロット全体を占用する必要があり、また、ＸＲＳが全部の又は比較的広い周波数範囲を占用して周波数バンド全体を測定する必要があるので、ブロードキャスト情報は、ＸＲＳと時間及び／又は周波数上でオーバーラップするようになる。
【０１０３】
例えば、装置１が或るスロットで装置２にＸＲＳを送信し、同一スロットで装置３にユニキャスト又はグループキャスト情報を送信する必要があるときに、該ユニキャスト又はグループキャスト情報も、ＸＲＳと時間及び／又は周波数上でオーバーラップするようになる。
【０１０４】
同様に、サイドリンクがＮＲ  Ｕｕの時間周波数リソースを使用するときに、ＮＲ  Ｖ２Ｘ装置がＸＲＳを送受信するスロット内でネットワーク装置と情報の送受信を行う必要がある場合、該情報も、ＸＲＳと時間及び／又は周波数上でオーバーラップする可能性がある。ＸＲＳが他の情報と時間及び／又は周波数リソース上でオーバーラップするときに、如何にＸＲＳ及び他の情報を送受信するかは、解決する必要のある問題である。
【０１０５】
図１４は、本発明の実施例における参照信号の送信方法を示す図であり、送信装置側の場合を示している。図１４に示すように、該方法は以下のステップを含む。
【０１０６】
ステップ１４０１：第一装置がチャネル状態情報を得るためのサイドリンク参照信号を確定し、そのうち、前記サイドリンク参照信号は時間間隔の第一部分のシンボルにおいてキャリーされ；
ステップ１４０２：前記第一装置は、前記時間間隔がさらに伝送情報を送信又は受信するために用いられることを確定し；及び
ステップ１４０３：前記第一装置は、前記サイドリンク参照信号を送信するための一部又は全部の時間周波数リソースが前記伝送情報を送信又は受信するために用いられると確定する。
【０１０７】
なお、上述の図１４は、本発明の実施例を例示的に説明するものに過ぎず、本発明はこれに限られない。例えば、各ステップの間の実行順序を適切に調整したり、幾つかのステップを増減したりすることもできる。当業者は、上述の図１４の記載に基づいて上述の内容に対して適切な変形を行っても良い。
【０１０８】
１つの実施例において、前記第一装置はさらに、前記伝送情報の優先度が第一閾値よりも高いかを確定することができ、また、前記伝送情報の優先度が前記第一閾値よりも高いときに、前記サイドリンク参照信号を送信する一部又は全部の時間周波数リソースが前記伝送情報を送信又は受信するために用いられると確定することができる。
【０１０９】
１つの実施例において、前記伝送情報は次のようなもののうちの少なく１つを含んでも良く、即ち、ユニキャスト情報、グループキャスト情報、ブロードキャスト情報、ネットワーク装置に送信する情報、比較的高い優先度を有する情報である。ただし、本発明はこれに限られない。
【０１１０】
図１５は、本発明の実施例における複数のサービスを伝送する一例を示す図であり、ＮＲ  Ｖ２Ｘは、ユニキャスト、グループキャスト、ブロードキャストなどの複数のサービスをサポートし、同一Ｖ２Ｘ装置は、複数のサービスを同時にサポートする必要がある可能性がある。ＸＲＳが幾つかのサービスに必要であるが、幾つかのサービスがＸＲＳを必要としない。例えば、ユニキャストサービスは、ＸＲＳを用いてリンク適応を行う必要があり、これにより、データ伝送レートを向上させることができる。ユニキャストサービスの送信装置及び受信装置はすべてＸＲＳの位置を知っているから、ＸＲＳが存在するスロットで、ＸＲＳにより占用されないシンボルを用いて送信又は受信を行うことができる。例えば、ブロードキャストサービスはＸＲＳを必要とせず、さらに、ブロードキャストサービスの送受信装置はＸＲＳの存在を知る必要もないため、スロット内のシンボルはすべてブロードキャストサービスの送受信のために用いられ得る。
【０１１１】
図１５に示すように、そのうち、装置１及び装置２がユニキャストサービス及びブロードキャストサービスを同時にサポートすることができ、装置３、装置４がブロードキャストサービスのみをサポートするので、装置１及び装置２は既にＸＲＳ設定を知っており、ＸＲＳは装置３、装置４にとって未知である。装置１がＸＲＳ存在のスロット内でブロードキャスト情報を送信する必要があるときに、装置２、装置３及び装置４を含む装置１の周囲の装置がすべてブロードキャスト情報を受信する必要があり、且つＸＲＳが装置３及び装置４にとって未知であるので、装置１は、ＸＲＳにより占用されないシンボルのみを使用してブロードキャスト情報を送信することができない。これは、大多数の装置のブロードキャスト情報の受信に影響を与える恐れがある。ブロードキャスト情報は、通常、重要な情報、例えば、道路安全情報などであり、できるだけ多くの装置が正確に受信するように保証する必要がある。
【０１１２】
１つの実施例において、前記伝送情報は、前記時間間隔の全部のリソースブロック上で送信又は受信され、前記サイドリンク参照信号は、前記時間間隔での送信が取り消される。
【０１１３】
例えば、ブロードキャスト情報がＸＲＳリソースをプリエンプトして送信されるようにエネーブル（ｅｎａｂｌｅ）することができ、即ち、在該スロット内でＸＲＳを送信せず、ブロードキャスト情報のみを送信するようにさせる。
【０１１４】
図１６は、本発明の実施例におけるサイドリンク参照信号を送信するリソースを示す図であり、サイドリンク伝送のための時間周波数リソースプール示している。図１６に示すように、ＸＲＳを送信する必要のあるスロットを“ＸＲＳスロット”と記し、ＸＲＳ送信がないスロットを“非ＸＲＳスロット”と記し、一回の情報伝送が周波数領域上の若干個のリソースブロック（ＲＢ、Ｒｅｓｏｕｒｃｅ  Ｂｌｏｃｋ）及び時間領域上の１つのスロットの範囲内に発生する。非ＸＲＳスロットについて、スロット全体がすべて情報送信のために用いられ得る。ＸＲＳスロットについて、ユニキャスト情報が該スロットで送信される必要があるときに、送受信装置がすべてＸＲＳの位置を知っているから、ユニキャスト情報は、前の実施例１に記載の任意の方式によりＸＲＳと多重化することができる。なお、図１６は、ユニキャスト情報とＸＲＳの多重化を行う１つの方式のみを示している。
【０１１５】
ＸＲＳスロットについて、ブロードキャスト情報が該スロットで送信される必要があるときに、ブロードキャスト情報は時間上でスロット全体を占用する必要があり、ブロードキャスト情報はＸＲＳと時間上でオーバーラップするようになる。ＸＲＳが周波数上でリソースプール内の全部のＲＢを占用するため、ブロードキャスト情報はＸＲＳと周波数上でオーバーラップするようになる。ＸＲＳが主にチャネル測定のために用いられ、これに対して、ブロードキャスト情報は車両安全運転にとってより重要な意義を持つ。よって、該スロット内では、ブロードキャスト情報のみを送信し、ＸＲＳ送信を取り消す。
【０１１６】
ユニキャスト情報の受信装置（例えば、図１５の中の装置２）もブロードキャスト情報を受信する必要があり、該装置は、該ブロードキャスト情報をスケジューリングする制御シグナリングを受信した後に、ＸＲＳスロット内でブロードキャスト情報を受信し、ＸＲＳ受信及び後続のチャネル測定を行わない。ブロードキャスト情報によりプリエンプトされる該ＸＲＳスロットも、チャネル測定結果を計算及び統計するために使用されない。
【０１１７】
１つの実施例において、前記伝送情報は前記時間間隔の一部のリソースブロック上で送信又は受信され、前記サイドリンク参照信号は前記時間間隔の他のリソースブロック上で送信される。
【０１１８】
例えば、ＮＲ  Ｖ２Ｘ装置が同一スロットでＸＲＳ及び他の情報を送信する必要があり、且つ該情報がＸＲＳと時間及び／又は周波数上でオーバーラップするようになるときに、さらに完全な情報及び一部のＸＲＳを送信し、情報とオーバーラップする部分のＸＲＳを送信しなくても良く、即ち、情報とオーバーラップする部分のＸＲＳ送信を取り消す。
【０１１９】
図１７は、本発明の実施例におけるサイドリンク参照信号を送信するリソースを示す他の図であり、サイドリンク伝送のための時間周波数リソースプールを示している。図１７におけるブロードキャスト情報を送信する必要のあるＸＲＳスロットについて、ＸＲＳが元々リソースプールの全部のＲＢを用いて送信されるはずであるが、ここで、ブロードキャスト情報が一部のＲＢ内のＸＲＳをプリエンプトしているから、ブロードキャスト情報は完全に送信することができ、ブロードキャスト情報とオーバーラップするＲＢ内のＸＲＳは送信されず、ブロードキャスト情報とオーバーラップしない他のＲＢ内のＸＲＳはそのまま送信することができ、この部分のＸＲＳは依然としてチャネル測定のために用いることができる。このような実施方式により、ブロードキャスト情報の送信を保証することができ、且つＸＲＳも同一スロットで送信することができる。
【０１２０】
以上、ブロードキャスト情報を例にとって説明したが、本発明はこれに限られず、さらに、ユニキャスト情報、又はグループキャスト情報、又はネットワーク装置に送信する情報、又は比較的高い優先度を有する情報に適用することもできる。
【０１２１】
１つの実施例において、ＮＲ  Ｖ２Ｘ装置が同一スロットでＸＲＳ及び他の情報を送信する必要があり、且つ該情報がＸＲＳと時間及び／又は周波数上でオーバーラップするようになるときに、該情報の優先度が所定の閾値よりも高いときに、該情報のみを送信し、ＸＲＳを送信せず、即ち、ＸＲＳ送信を取り消す。
【０１２２】
もう１つの実施例において、さらに情報の優先度が所定の閾値よりも高いときに、完全な情報及び一部のＸＲＳを送信し、情報とオーバーラップする部分のＸＲＳを送信してなくても良く、即ち、情報とオーバーラップする部分のＸＲＳ送信を取り消す。
【０１２３】
なお、ここで、情報の優先度に基づいて、情報がＸＲＳをプリエンプトして送信されることを許すかを決定し、情報の優先度が比較的高いときにのみ、該情報はＸＲＳをプリエンプトすることができる。上述の優先度は、該情報をスケジューリングするための制御シグナリングにおける或るフィールドからであっても良い（例えば、該フィールドにより指示されても良い）。上述の閾値は、事前定義されても良く、設定されても良く、例えば、上位層により設定されても良い。
【０１２４】
同様に、第一装置は、或るスロットでＸＲＳを送信する必要があるときに、該スロットで他の情報を受信する必要がある可能性もあり、該情報は、ＸＲＳと時間及び／又は周波数上でオーバーラップする可能性もある。この場合、以下のような方式で装置のビヘイビア（ｂｅｈａｖｉｏｒ）を確定することができる。
【０１２５】
ＮＲ  Ｖ２Ｘ装置が同一スロットでＸＲＳを送信し及び他の情報を受信する必要があり、且つ該情報がＸＲＳと時間及び／又は周波数上でオーバーラップするようになるときに、該情報のみを受信しＸＲＳを送信しなくても良く；
又は、該情報を受信し、時間及び周波数上で情報とオーバーラップしない部分のＸＲＳを送信し；
又は、情報の優先度が所定の閾値よりも高いときに、該情報のみを受信しＸＲＳを送信せず；
又は、情報の優先度が所定の閾値よりも高いときに、該情報を受信し、時間及び周波数上で情報とオーバーラップしない部分のＸＲＳを送信する。
【０１２６】
同様に、第二装置が或るスロットでＸＲＳを受信する必要があるときに、該スロットで他の情報を送信する必要がある可能性もあり、該情報は、ＸＲＳと時間及び／又は周波数上でオーバーラップする可能性もある。この場合、以下のような方式で装置のビヘイビア（ｂｅｈａｖｉｏｒ）を確定することができる。
【０１２７】
ＮＲ  Ｖ２Ｘ装置が同一スロットでＸＲＳを受信し及び他の情報を送信する必要があり、且つ該情報がＸＲＳと時間及び／又は周波数上でオーバーラップするようになるときに、該情報のみを送信しＸＲＳを受信しなくても良く；
又は、該情報を送信し、時間及び周波数上で情報とオーバーラップしない部分のＸＲＳを受信し；
又は、情報の優先度が所定の閾値よりも高いときに、該情報のみを送信しＸＲＳを受信せず；
又は、情報の優先度が所定の閾値よりも高いときに、該情報を送信し、時間及び周波数上で情報とオーバーラップしない部分のＸＲＳを受信する。
【０１２８】
上述の優先度は、該情報の送信をスケジューリングするための制御シグナリングの中の或るフィールドからであっても良い。該情報の受信をスケジューリングする上述の制御シグナリングは、ネットワーク装置、例えば、ＮＲ基地局及び／又はＬＴＥ基地局などからであっても良く、ＮＲ  Ｖ２Ｘ装置からであっても良い。また、ＸＲＳを受信するスロット内でＸＲＳと時間及び／又は周波数上でオーバーラップし得る情報の送信を許さなくても良い。
【０１２９】
同様に、第二装置が或るスロットでＸＲＳを受信する必要があるときに、該スロットで他の情報を受信する必要がある可能性もあり、該情報は、ＸＲＳと時間及び／又は周波数上でオーバーラップする可能性もある。この場合、以下のような方式で装置のビヘイビア（ｂｅｈａｖｉｏｒ）を確定することができる。
【０１３０】
ＮＲ  Ｖ２Ｘ装置が同一スロットでＸＲＳ及び他の情報を受信する必要があり、且つ該情報がＸＲＳと時間及び／又は周波数上でオーバーラップするようになるときに、該情報のみを受信しＸＲＳを受信しなくても良く；
又は、該情報を受信し、時間及び周波数上で情報とオーバーラップしない部分のＸＲＳを受信し；
又は、情報の優先度が所定の閾値よりも高いときに、該情報のみを受信しＸＲＳを受信せず；
又は、情報の優先度が所定の閾値よりも高いときに、該情報を受信し、時間及び周波数上で情報とオーバーラップしない部分のＸＲＳを受信する。
【０１３１】
上述の優先度は、該情報の送信をスケジューリングするための制御シグナリングの中の或るフィールドからであっても良い。該情報の受信をスケジューリングするための上述の制御シグナリングは、ネットワーク装置、例えば、ＮＲ基地局及び／又はＬＴＥ基地局などからであっても良く、ＮＲ  Ｖ２Ｘ装置からであっても良い。また、さらにＸＲＳを受信するスロット内でＸＲＳと時間及び／又は周波数上でオーバーラップし得る情報の受信を許さなくても良い。
【実施例３】
【０１３２】
本発明の実施例は参照信号の送信方法を提供し、ここでは実施例１又は２と同じ内容の説明を省略する。本実施例３は単独で実現されても良く、実施例１と組わせて実現されても良く、実施例２と組み合わせて実現されても良く、さらに実施例１及び２と組み合わせて実現されても良い。
【０１３３】
本発明の実施例では、処理時間のニーズを満たす条件の下でサイドリンク参照信号のリソースをプリエンプトして伝送を行うことで、異なる類型及び／又は優先度のサービスの間の共有リソースをサポートし、サイドリンクの周波数スペクトル利用率を向上させることができる。
【０１３４】
図１８は、本発明の実施例における参照信号の送信方法を示す図であり、送信装置側の場合を示している。図１８に示すように、該方法は以下のステップを含む。
【０１３５】
ステップ１８０１：第一装置が、チャネル状態情報を得るためのサイドリンク参照信号を確定し、そのうち、前記サイドリンク参照信号は、時間間隔の第一部分のシンボルにおいてキャリーされ；
ステップ１８０２：前記第一装置が、伝送情報を指示するためのスケジューリング情報を受信し；
ステップ１８０３：前記第一装置が、前記スケジューリング情報を受信する時刻から前記サイドリンク参照信号までの時間が第二閾値よりも大きいと確定し；及び
ステップ１８０４：前記第一装置が、前記サイドリンク参照信号を送信するための一部又は全部の時間周波数リソースが前記伝送情報を送信又は受信するために用いられると確定する。
【０１３６】
なお、上述の図１８は、本発明の実施例を例示的に説明するためのものに過ぎず、本発明はこれに限られない。例えば、各ステップの間の実行順序を適切に調整したり、幾つかのステップを増減したりすることもできる。当業者は、上述の図１８の記載に基づいて、上述の内容に対して適切な変形を行っても良い。
【０１３７】
１つの実施例において、前記伝送情報は次のようなもののうちの少なく１つを含んでも良く、即ち、ユニキャスト情報、グループキャスト情報、ブロードキャスト情報、ネットワーク装置に送信する情報、比較的高い優先度を有する情報である。ただし、本発明はこれに限られず、さらに他の情報又はサービスであっても良い。
【０１３８】
１つの実施例において、前記伝送情報は、前記時間間隔の全部のリソースブロック上で送信又は受信され、前記サイドリンク参照信号は、前記時間間隔での送信が取り消される。
【０１３９】
例えば、ＮＲ  Ｖ２Ｘ装置が同一スロットでＸＲＳ及び他の伝送情報を送信する必要があり、且つ該伝送情報がＸＲＳと時間及び／又は周波数上でオーバーラップするようになるときに、受信した、該伝送情報の送信をスケジューリングする制御シグナリングの所在する最後の１つのシンボルから、ＸＲＳの所在する１番目のシンボルまでの間の時間間隔が所定の閾値よりも大きい場合、該伝送情報のみを送信しＸＲＳを送信せず、即ち、ＸＲＳ送信を取り消し；そうでない場合、ＸＲＳのみを送信し該伝送情報を送信しない。
【０１４０】
１つの実施例において、前記伝送情報は、前記時間間隔の一部のリソースブロック上で送信又は受信され、前記サイドリンク参照信号は、前記時間間隔の他のリソースブロック上で送信される。
【０１４１】
例えば、ＮＲ  Ｖ２Ｘ装置が同一スロットでＸＲＳ及び他の伝送情報を送信する必要があり、且つ該伝送情報がＸＲＳと時間及び／又は周波数上でオーバーラップするようになるときに、受信した、該伝送情報の送信をスケジューリングする制御シグナリングの所在する最後の１つのシンボルから、ＸＲＳの所在する１番目のシンボルまでの間の時間間隔が所定の閾値よりも大きい場合、完全な伝送情報及び一部のＸＲＳを送信し、伝送情報とオーバーラップする部分のＸＲＳを送信しなくても良く、即ち、伝送情報とオーバーラップする部分のＸＲＳ送信を取り消し；そうでない場合、ＸＲＳのみを送信し該伝送情報を送信しない。
【０１４２】
これにより、第一装置は、上述の時間間隔を用いて、ＸＲＳ送信の取り消しに間に合うかを判断することができる。第一装置が取り消し操作を行うための時間がとても短く、ＸＲＳ送信の取り消しに間に合わない場合、第一装置はＸＲＳを送信し、該伝送情報を送信しない。上述の該伝送情報をスケジューリングする制御シグナリングは、ネットワーク装置、例えば、ＮＲ基地局及び／又はＬＴＥ基地局などからであっても良く、ＮＲ  Ｖ２Ｘ装置からであっても良い。
【０１４３】
本実施例３は実施例２とジョイントすることができ、即ち、上述の、優先度についての判断（優先度が第一閾値よりも大きいか）、及び、ＸＲＳ送信を取り消すに必要な時間についての判断（時間が第二閾値よりも大きいか）はジョイントして使用することができ、即ち、上述の２つの条件を同時に満足するときに、第一装置はＸＲＳ送信を取り消す。
【０１４４】
もう１つの実施例において、ＸＲＳを送信するスロット内でＸＲＳと時間及び／又は周波数上でオーバーラップし得る情報を送信することを許さなくても良い。
【０１４５】
同様に、第一装置が或るスロットでＸＲＳを送信する必要があるときに、該スロットで他の情報を受信する必要がある可能性もあり、また、該情報はＸＲＳと時間及び／又は周波数上でオーバーラップする可能性もある。この場合、以下のような方式で装置のビヘイビア（ｂｅｈａｖｉｏｒ）を確定することができる。
【０１４６】
ＮＲ  Ｖ２Ｘ装置が同一スロットでＸＲＳを送信し及び他の情報を受信する必要があり、且つ該情報がＸＲＳと時間及び／又は周波数上でオーバーラップするようになるときに、受信した、該情報の受信をスケジューリングする制御シグナリングの所在する最後の１つのシンボルから、ＸＲＳの所在する１番目のシンボルまでの間の時間間隔が所定の閾値よりも大きい場合、該情報を受信し、ＸＲＳを送信せず；そうでない場合、該情報を受信せず、ＸＲＳを送信する。
【０１４７】
あるいは、受信した、該情報の受信をスケジューリングする制御シグナリングの所在する最後の１つのシンボルから、ＸＲＳの所在する１番目のシンボルまでの間の時間間隔が所定の閾値よりも大きい場合、該情報を受信し、時間及び周波数上で情報とオーバーラップしない部分のＸＲＳを送信し；そうでない場合、該情報を受信せず、完全なＸＲＳを送信する。
【０１４８】
上述の優先度は、該情報の受信をスケジューリングするための制御シグナリングの中の或るフィールドからであっても良い。上述の、該情報の受信をスケジューリングする制御シグナリングは、ネットワーク装置、例えば、ＮＲ基地局及び／又はＬＴＥ基地局などからであっても良く、ＮＲ  Ｖ２Ｘ装置からであっても良い。
【実施例４】
【０１４９】
本発明の実施例では参照信号の受信方法が提供され、受信装置（第二装置）側から説明が行われ、また、実施例１−３と同じ内容の記載が省略される。そのうち、該受信装置は端末装置であっても良いが、本発明はこれに限られず、例えば、路側装置又はネットワーク装置であっても良い。
【０１５０】
図１９は、本発明の実施例における参照信号の受信方法を示す図であり、受信装置側の場合を示している。図１９に示すように、該方法は以下のステップを含む。
【０１５１】
ステップ１９０１：第二装置が、第一装置送信のサイドリンク参照信号を受信し、そのうち、前記サイドリンク参照信号は、時間間隔の第一部分のシンボルにおいてキャリーされ；
ステップ１９０２：前記第二装置が、前記サイドリンク参照信号に基づいて、チャネル測定を行い、チャネル状態情報を取得する。
【０１５２】
１つの実施例において、前記第二装置はさらに、前記ＣＳＩを前記第一装置にフィードバックすることができる。
【０１５３】
なお、上述の図１９は、本発明の実施例を例示的に説明するためのものに過ぎず、本発明はこれに限られない。例えば、各ステップの間の実行順序を適切に調整したり、幾つかのステップを増減したりすることもできる。当業者は、上述の図１９の記載をもとに、上述の内容に対して適切な変形を行っても良い。
【０１５４】
１つの実施例において、前記時間間隔は次のようなもののうちの少なくとも１つを含み、即ち、スロット、サブフレーム、フレーム、非スロット（ｎｏｎ−ｓｌｏｔ）、ミニスロット（ｍｉｎｉ−ｓｌｏｔ）である。
【０１５５】
１つの実施例において、前記時間間隔には、さらに、ガード区間のための第二部分のシンボルが含まれる。
【０１５６】
１つの実施例において、前記第二部分のシンボルは、前記サイドリンク参照信号をキャリーする前記第一部分のシンボルの後ろに位置し、前記第一部分のシンボル及び前記第二部分のシンボルは、前記時間間隔の後部に位置する。
【０１５７】
１つの実施例において、前記時間間隔には、さらに、自動利得制御を行うための第三部分のシンボルが含まれ、前記第三部分のシンボルは、前記サイドリンク参照信号をキャリーする前記第一部分のシンボルの前に位置する。
【０１５８】
１つの実施例において、前記第一部分のシンボルは、前記時間間隔の前部に位置する。
【０１５９】
１つの実施例において、前記第一部分のシンボルは、さらに、自動利得制御を行うために用いられる。
【０１６０】
１つの実施例において、前記時間間隔には、さらに、伝送情報をキャリーするための第四部分のシンボルが含まれる。
【０１６１】
１つの実施例において、前記伝送情報は次のようなもののうちの少なくとも１つを含み、即ち、制御情報、データ情報、フィードバック情報である。
【０１６２】
１つの実施例において、前記第一部分のシンボルと前記第四部分のシンボルとの間には、さらに、ガード区間のための第五部分のシンボルがある。
【０１６３】
１つの実施例において、前記時間間隔には、さらに、自動利得制御を行うための第六部分のシンボルが含まれ、前記第六部分のシンボルは、前記第四部分のシンボルの前に位置し、又は、前記第四部分のシンボルの前の１つ又は複数のシンボルは、自動利得制御を行うための第六部分のシンボルとされる。
【０１６４】
１つの実施例において、パワー制御状態、又はネットワーク装置及び／又は端末装置から受信したパワー制御に関するシグナリングに基づいて、前記第一シンボルの前に自動利得制御を行うための第三部分のシンボルがあるかを確定する。
【０１６５】
１つの実施例において、パワー制御状態、又はネットワーク装置及び／又は端末装置から受信したパワー制御に関するシグナリングに基づいて、前記第四シンボルの前に自動利得制御を行うための第六部分のシンボルがあるかを確定し、又は、前記第四部分のシンボルの前の１つ又は複数のシンボルが自動利得制御を行うための第六部分のシンボルとされるかを確定する。
【０１６６】
１つの実施例において、ネットワーク装置は、サイドリンク参照信号の設定情報を端末装置（第一装置及び／又は第二装置）に送信することができる。端末装置は、ネットワーク装置送信のサイドリンク参照信号の設定情報に基づいて、前記サイドリンク参照信号を送信する前記第一部分のシンボルを確定する。
【０１６７】
１つの実施例において、ネットワーク装置は、セルラーリンクのスロットフォーマット設定情報を端末装置に送信することができる。端末装置は、ネットワーク装置送信のセルラーリンクのスロットフォーマット設定情報に基づいて、前記サイドリンク参照信号を送信する前記第一部分のシンボルを確定する。
【０１６８】
１つの実施例において、前記サイドリンク参照信号の前記第一部分のシンボルは、前記セルラーリンクにおける上りリンク（Ｕ）シンボル及び／又は柔軟（Ｆ）なシンボルに対応する。
【０１６９】
本発明の実施例ではさらに、参照信号の受信方法が提供され、それは、第二装置が、チャネル状態情報を取得するためのサイドリンク参照信号を確定し、そのうち、前記サイドリンク参照信号は、時間間隔の第一部分のシンボルにおいてキャリーされ；前記第二装置が、前記時間間隔がさらに伝送情報を送信又は受信するために用いられることを確定し；及び、前記第二装置が、前記サイドリンク参照信号を受信するための一部又は全部の時間周波数リソースが前記伝送情報を送信又は受信するために用いられると確定することを含む。
【０１７０】
１つの実施例において、前記伝送情報は次のようなもののうちの少なくとも１つを含み、即ち、ユニキャスト情報、グループキャスト情報、ブロードキャスト情報、ネットワーク装置に送信する情報、比較的高い優先度を有する情報である。
【０１７１】
１つの実施例において、前記伝送情報は、前記時間間隔の全部のリソースブロック上で送信又は受信され、前記サイドリンク参照信号は、前記時間間隔での受信が取り消され；又は、
前記伝送情報は、前記時間間隔の一部のリソースブロック上で送信又は受信され、前記サイドリンク参照信号は、前記時間間隔の他のリソースブロック上で受信される。
【０１７２】
本発明の実施例ではさらに、参照信号の受信方法が提供され、それは、第二装置が、チャネル状態情報を得るためのサイドリンク参照信号を確定し、そのうち、前記サイドリンク参照信号は時間間隔の第一部分のシンボルにおいてキャリーされ；前記第二装置が、伝送情報を指示するためのスケジューリング情報を受信し；前記第二装置が、前記スケジューリング情報を受信する時刻から、前記サイドリンク参照信号までの時間が第二閾値よりも大きいと確定し；及び、前記第二装置が、前記サイドリンク参照信号を受信するための一部又は全部の時間周波数リソースが前記伝送情報を送信又は受信するために用いられると確定する。
【０１７３】
１つの実施例において、前記伝送情報は次のようなもののうちの少なくとも１つを含み、即ち、ユニキャスト情報、グループキャスト情報、ブロードキャスト情報、ネットワーク装置に送信する情報、比較的高い優先度を有する情報である。
【０１７４】
１つの実施例において、前記伝送情報は、前記時間間隔の全部のリソースブロック上で送信又は受信され、前記サイドリンク参照信号は、前記時間間隔での受信が取り消され；又は、
前記伝送情報は、前記時間間隔の一部のリソースブロック上で送信又は受信され、前記サイドリンク参照信号は、前記時間間隔の他のリソースブロック上で受信される。
【０１７５】
上述の各実施方式は、本発明の実施例を例示的に説明するためのものに過ぎず、本発明はこれに限られない。本発明は、さらに、以上の各実施方式をもとに適切な変形を行っても良い。例えば、上述の各実施方式を単独で使用しても良く、以上の各実施方式のうちの１つ又は複数を組み合わせて使用しても良い。
【０１７６】
上述の実施例から分かるように、ＣＳＩを得るためのサイドリンク参照信号（以下、為ＸＲＳと称されても良い）が時間間隔の第一部分のシンボルにおいてキャリーされることにより、Ｖ２ＸにおいてＣＳＩの測定及び報告をサポートすることができ、異なるシナリオ及び異なるサービスのニーズを満たすことができる。
【実施例５】
【０１７７】
本発明の実施例は参照信号の送信装置を提供する。該装置は例えば端末装置であっても良く、端末装置に配置される１つ又は複数の部品又はアセンブリであっても良い。なお、本発明はこれに限られず、例えば、路側装置又はネットワーク装置であっても良く、路側装置又はネットワーク装置に配置される１つ又は複数の部品又はアセンブリであっても良い。また、本実施例５では、実施例１−３と同じ内容の記載が省略される。
【０１７８】
図２０は、本発明の実施例における参照信号の送信装置を示す図であり、図２０に示すように、参照信号の送信装置２０００は以下のものを含む。
【０１７９】
信号確定ユニット２００１：チャネル状態情報を得るためのサイドリンク参照信号を確定し、そのうち、前記サイドリンク参照信号は、時間間隔の第一部分のシンボルにおいてキャリーされ；及び
信号送信ユニット２００２：第二装置に前記サイドリンク参照信号を送信する。
【０１８０】
１つの実施例において、図２０に示すように、参照信号の送信装置２０００はさらに以下のものを含んでも良い。
【０１８１】
シンボル確定ユニット２００３：パワー制御状態、又はネットワーク装置及び／又は端末装置から受信したパワー制御に関するシグナリングに基づいて、前記第一シンボルの前に自動利得制御を行うための第三部分のシンボルがあるかを確定し；及び／又は
パワー制御状態、又はネットワーク装置及び／又は端末装置から受信したパワー制御に関するシグナリングに基づいて、第四シンボルの前に自動利得制御を行うための第六部分のシンボルがあるかを確定し、又は、前記第四部分のシンボルの前の１つ又は複数のシンボルが自動利得制御を行うための第六部分のシンボルとされるかを確定する。
【０１８２】
１つの実施例において、シンボル確定ユニット２００３はさらに、ネットワーク装置及び／又は端末装置送信のサイドリンク参照信号の設定情報、又はセルラーリンクのスロットフォーマット設定情報に基づいて、前記サイドリンク参照信号を送信する前記第一部分のシンボルを確定する。
【０１８３】
１つの実施例において、図２０に示すように、参照信号の送信装置２０００はさらに以下のものを含んでも良い。
【０１８４】
情報確定ユニット２００４：前記時間間隔がさらに伝送情報を送信又は受信するために用いられると確定する。
【０１８５】
前記信号確定ユニット２００１は、さらに、前記サイドリンク参照信号を送信するための一部又は全部の時間周波数リソースが前記伝送情報を送信又は受信するために用いられると確定する。
【０１８６】
１つの実施例において、図２０に示すように、参照信号の送信装置２０００はさらに以下のものを含んでも良い。
【０１８７】
スケジューリング受信ユニット２００５：伝送情報を指示するためのスケジューリング情報を受信する。
【０１８８】
前記情報確定ユニット２００４はさらに、前記スケジューリング情報を受信する時刻から前記サイドリンク参照信号までの時間が第二閾値よりも大きいと確定することができ、及び前記信号確定ユニット２００１はさらに、前記サイドリンク参照信号を送信するための一部又は全部の時間周波数リソースが前記伝送情報を送信又は受信するために用いられると確定する。
【０１８９】
１つの実施例において、図２０に示すように、参照信号の送信装置２０００はさらに以下のものを含んでも良い。
【０１９０】
情報受信ユニット２００６：前記第二装置がフィードバックするチャネル状態情報を受信し；前記チャネル状態情報は、前記第二装置により前記サイドリンク参照信号に基づいてチャネル測定を行うことで取得される。
【０１９１】
なお、以上、本発明に関連する各部品又はモジュールのみについて説明したが、本発明はこれに限られない。参照信号の送信装置２０００はさらに、他の部品又はモジュールを含んでも良い。これらの部品又はモジュールの具体的な内容については、関連技術を参照することができる。
【０１９２】
また、便宜のため、図２０では、各部品又はモジュール間の連接関係又は信号方向のみを示しているが、当業者が理解すべきは、バスによる接続などの各種の関連技術を採用しても良いということである。上述の各部品又はモジュールは、例えば、処理器、記憶器、送信機、受信機などのハードウェアにより実現されても良いが、本発明の実施例は、これについて限定しない。
【０１９３】
上述の実施例から分かるように、ＣＳＩを得るためのサイドリンク参照信号（以下、ＸＲＳと称されても良い）が時間間隔の第一部分のシンボルにおいてキャリーされることにより、Ｖ２ＸにおいてＣＳＩの測定及び報告をサポートすることができ、異なるシナリオ及び異なるサービスのニーズを満たすことができる。
【実施例６】
【０１９４】
本発明の実施例は参照信号の受信装置を提供する。該装置は例えば端末装置であっても良く、端末装置に配置される１つ又は複数の部品又はアセンブリであっても良い。ただし、本発明はこれに限られず、例えば、路側装置又はネットワーク装置であっても良く、路側装置又はネットワーク装置に構成される１つ又は複数の部品又はアセンブリであっても良い。本実施例６では、実施例４と同じ内容の記載を省略する。
【０１９５】
図２１は、本発明の実施例における参照信号の受信装置を示す図である。図２１に示すように、参照信号の受信装置２１００は以下のものを含む。
【０１９６】
信号受信ユニット２１０１：第一装置送信のサイドリンク参照信号を受信し、そのうち、前記サイドリンク参照信号は時間間隔の第一部分のシンボルにおいてキャリーされ；及び
チャネル測定ユニット２１０２：前記サイドリンク参照信号に基づいて、チャネル測定を行い、チャネル状態情報を取得する。
【０１９７】
図２１に示すように、参照信号の受信装置２１００はさらに次のようなものを含んでも良い。
【０１９８】
情報フィードバックユニット２１０３：前記チャネル状態情報を前記第一装置にフィードバックする。
【０１９９】
なお、以上、本発明に関連する各部品又はモジュールのみについて説明したが、本発明はこれに限られない。参照信号の受信装置２１００はさらに、他の部品又はモジュールを含んでも良く、これらの部品又はモジュールの具体的な内容については、関連技術を参照することができる。
【０２００】
また、便宜のため、図２１では各部品又はモジュール間の接続関係又は信号方向のみが示されているが、当業者が理解すべきは、バスによる接続などの各種の関連技術を採用しても良いということである。上述の各部品又はモジュールは、例えば、処理器、記憶器、送信機、受信機などのハードウェアにより実現されても良いが、本発明の実施例はこれについて限定しない。
【０２０１】
上述の実施例から分かるように、ＣＳＩを得るためのサイドリンク参照信号（以下、ＸＲＳと称されても良い）が時間間隔の第一部分のシンボルにおいてキャリーされることにより、Ｖ２ＸにおいてＣＳＩの測定及び報告をサポートすることができ、異なるシナリオ及び異なるサービスのニーズを満たすことができる。
【実施例７】
【０２０２】
本発明の実施例ではさらに通信システムが提供され、図１を参照することができ、また、実施例１乃至６と同じ内容の記載が省略される。本実施例では、通信システム１００は以下のものを含んでも良い。
【０２０３】
端末装置１０２：実施例５に記載の参照信号の送信装置２０００又は実施例６に記載の参照信号の受信装置２１００が設定されている。
【０２０４】
ネットワーク装置１０１：端末装置１０２にサービスを提供する。
【０２０５】
本発明の実施例はさらにネットワーク装置を提供し、それは例えば基地局であるが、本発明はこれに限られず、さらに他のネットワーク装置であっても良い。
【０２０６】
図２２は、本発明の実施例におけるネットワーク装置の構成図である。図２２に示すように、ネットワーク装置２２００は、処理器２２１０（例えば、中央処理器ＣＰＵ）及び記憶器２２２０を含み、記憶器２２２０は処理器２２１０に接続される。そのうち、該記憶器２２２０は各種のデータを記憶することができ、また、情報処理用のプログラム２２３０をさらに記憶することができ、且つ処理器２２１０の制御下で該プログラム２２３０を実行することができる。
【０２０７】
また、図２２に示すように、ネットワーク装置２２００はさらに送受信機２２４０及びアンテナ２２５０などを含んでも良い。そのうち、これらの部品の機能が従来技術と類似しているから、ここではその詳しい説明を省略する。なお、ネットワーク装置２２００は図２２に示すすべての部品を含む必要がない。また、ネットワーク装置２２００はさらに図２２に無い部品を含んでも良いが、これについては従来技術を参照することができる。
【０２０８】
本発明の実施例はさらに端末装置を提供する。なお、本発明はこれに限られず、さらに他の装置であっても良い。
【０２０９】
図２３は、本発明の実施例における端末装置を示す図である。図２３に示すように、該端末装置２３００は処理器２３１０及び記憶器２３２０を含み、記憶器２３２０はデータ及びプログラムを記憶しており、且つ処理器２３１０に接続される。なお、該図は例示に過ぎず、さらに他の類型の構造を用いて、該構造に対して補充又は代替を行うことで、電気通信機能又は他の機能を実現することもできる。
【０２１０】
例えば、処理器２３１０は、プログラムを実行して実施例１−３に記載の参照信号の送信方法を実現しても良い。例えば、処理器２３１０は次のような制御を行うように構成されても良く、即ち、チャネル状態情報を得るためのサイドリンク参照信号を確定し、そのうち、前記サイドリンク参照信号は時間間隔の第一部分のシンボルにおいてキャリーされ；及び、第二装置に前記サイドリンク参照信号を送信する。
【０２１１】
また、例えば、処理器２３１０は、プログラムを実行して実施例４に記載の参照信号の受信方法を実現しても良い。例えば、処理器２３１０は次のような制御を行うように構成されても良く、即ち、第一装置送信のサイドリンク参照信号を受信し、そのうち、前記サイドリンク参照信号は時間間隔の第一部分のシンボルにおいてキャリーされ；及び、前記サイドリンク参照信号に基づいて、チャネル測定を行い、チャネル状態情報を得る。
【０２１２】
図２３に示すように、該端末装置２３００はさらに通信モジュール２３３０、入力ユニット２３４０、表示器２３５０、電源２３６０を含んでも良い。そのうち、これらの部品の機能が従来技術と類似しているので、ここではその詳しい説明を省略する。なお、端末装置２３００は図２３に示すすべての部品を含む必要がない。また、端末装置２３００はさらに図２３にない部品を含んでも良いが、これについては従来技術を参照することができる。
【０２１３】
本発明の実施例はさらにコンピュータプログラムを提供し、そのうち、端末装置中で前記プログラムを実行するときに、前記プログラムは前記端末装置に、実施例１−３に記載の参照信号の送信方法又は実施例４に記載の参照信号の受信方法を実行させる。
【０２１４】
本発明の実施例はさらにコンピュータプログラムを記憶した記憶媒体を提供し、そのうち、前記コンピュータプログラムは端末装置に、実施例１−３に記載の参照信号の送信方法又は実施例４に記載の参照信号の受信方法を実行させる。
【０２１５】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０２１６】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切な組み合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０２１７】
以上、本発明の好ましい実施形態を説明したが、本発明はこのような実施形態に限定されず、本発明の趣旨を離脱しない限り、本発明に対するあらゆる変更は本発明の技術的範囲に属する。
【０２１８】
また、上述の実施例などに関し、さらに以下の付記を開示する。
【０２１９】
（付記１）
参照信号の送信方法であって、
第一装置が、チャネル状態情報を取得するためのサイドリンク参照信号を確定することを含み、
そのうち、前記サイドリンク参照信号は時間間隔の第一部分のシンボルにおいてキャリーされる、方法。
【０２２０】
（付記２）
付記１に記載の方法であって、さらに、
前記第一装置が前記第二装置に前記サイドリンク参照信号を送信することを含む、方法。
【０２２１】
（付記３）
付記２に記載の方法であって、さらに
前記第一装置が、前記第二装置によりフィードバックされるチャネル状態情報を受信することを含み、
前記チャネル状態情報は、前記第二装置により前記サイドリンク参照信号に基づいてチャネル測定を行うことで取得される、方法。
【０２２２】
（付記４）
付記１乃至３のうちの何れか１つに記載の方法であって、
前記時間間隔は次のようなもののうちの少なくとも１つを含み、即ち、スロット、サブフレーム、フレーム、非スロット（ｎｏｎ−ｓｌｏｔ）、及びミニスロット（ｍｉｎｉ−ｓｌｏｔ）である、方法。
【０２２３】
（付記５）
付記１乃至４のうちの何れか１つに記載の方法であって、
前記時間間隔にはさらに、ガード区間のための第二部分のシンボルが含まれる、方法。
【０２２４】
（付記６）
付記５に記載の方法であって、
前記第二部分のシンボルは、前記サイドリンク参照信号をキャリーする前記第一部分のシンボルの後ろに位置し、前記第一部分のシンボル及び前記第二部分のシンボルは、前記時間間隔の後部に位置する、方法。
【０２２５】
（付記７）
付記１乃至６のうちの何れか１つに記載の方法であって、
前記時間間隔にはさらに、自動利得制御を行うための第三部分のシンボルが含まれ、前記第三部分のシンボルは、前記サイドリンク参照信号をキャリーする前記第一部分のシンボルの前に位置する、方法。
【０２２６】
（付記８）
付記１乃至５のうちの何れか１つに記載の方法であって、
前記第一部分のシンボルは前記時間間隔の前部に位置する、方法。
【０２２７】
（付記９）
付記１乃至５、及び８のうちの何れか１つに記載の方法であって、
前記第一部分のシンボルはさらに、自動利得制御を行うために用いられる、方法。
【０２２８】
（付記１０）
付記１乃至９のうちの何れか１つに記載の方法であって、
前記時間間隔にはさらに、伝送情報をキャリーするための第四部分のシンボルが含まれる、方法。
【０２２９】
（付記１１）
付記１０に記載の方法であって、
前記伝送情報は次のようなもののうちの少なくとも１つを含み、即ち、制御情報、データ情報、及びフィードバック情報である、方法。
【０２３０】
（付記１２）
付記１０又は１１に記載の方法であって、
前記第一部分のシンボルと前記第四部分のシンボルとの間にはさらに、ガード区間のための第五部分のシンボルが含まれる、方法。
【０２３１】
（付記１３）
付記１０乃至１２のうちの何れか１つに記載の方法であって、
前記時間間隔にはさらに、自動利得制御を行うための第六部分のシンボルが含まれ、前記第六部分のシンボルが前記第四部分のシンボルの前に位置し、又は、前記第四部分のシンボルの前の１つ又は複数のシンボルが自動利得制御を行うための第六部分のシンボルとされる、方法。
【０２３２】
（付記１４）
付記１乃至１３のうちの何れか１つに記載の方法であって、さらに、
前記第一装置が、パワー制御状態、又はネットワーク装置及び／又は端末装置から受信したパワー制御に関するシグナリングに基づいて、前記第一シンボルの前に自動利得制御を行うための第三部分のシンボルがあるかを確定することを含む、方法。
【０２３３】
（付記１５）
付記１０乃至１３のうちの何れか１つに記載の方法であって、さらに、
前記第一装置が、パワー制御状態、又はネットワーク装置及び／又は端末装置から受信したパワー制御に関するシグナリングに基づいて、前記第四シンボルの前に自動利得制御を行うための第六部分のシンボルがあるかを確定し、又は、前記第四部分のシンボルの前の１つ又は複数のシンボルが自動利得制御を行うための第六部分のシンボルとされるかを確定することを含む、方法。
【０２３４】
（付記１６）
付記１乃至１５のうちの何れか１つに記載の方法であって、さらに、
前記第一装置が、ネットワーク装置及び／又は端末装置送信のサイドリンク参照信号の設定情報に基づいて、前記サイドリンク参照信号を送信する前記第一部分のシンボルを確定することを含む、方法。
【０２３５】
（付記１７）
付記１乃至１５のうちの何れか１つに記載の方法であって、さらに、
前記第一装置が、ネットワーク装置及び／又は端末装置送信のセルラーリンクのスロットフォーマット設定情報を受信し；及び
前記第一装置が、前記セルラーリンクのスロットフォーマット設定情報に基づいて、前記サイドリンク参照信号を送信する前記第一部分のシンボルを確定することを含む、方法。
【０２３６】
（付記１８）
付記１６又は１７に記載の方法であって、
前記サイドリンク参照信号の前記第一部分のシンボルは、前記セルラーリンクにおける上りリンク（Ｕ）シンボル及び／又は柔軟（Ｆ）なシンボルに対応する、方法。
【０２３７】
（付記１９）
付記１乃至１８のうちの何れか１つに記載の方法であって、
前記第一部分のシンボルはさらに、フィードバック情報をキャリーするために用いられる、方法。
【０２３８】
（付記２０）
付記１９に記載の方法であって、
前記フィードバック情報は次のようなもののうちの少なくとも１つを含み、即ち、ハイブリッド自動再送要求確認情報（ＨＡＲＱ−ＡＣＫ）、チャネル状態情報（ＣＳＩ）、変調符号化スキーム（ＭＣＳ）、チャネル品質指示（ＣＱＩ）、プリコーディングマトリックスインデックス（ＰＭＩ）、ランク指示（ＲＩ）、及びビーム情報である、方法。
【０２３９】
（付記２１）
付記１乃至２０のうちの何れか１つに記載の方法であって、さらに、
前記第一装置が、前記時間間隔がさらに伝送情報を送信又は受信するために用いられると確定し；及び
前記第一装置が、前記サイドリンク参照信号を送信する一部又は全部の時間周波数リソースが前記伝送情報を送信又は受信するために用いられると確定することを含む、方法。
【０２４０】
（付記２２）
付記２１に記載の方法であって、
前記第一装置がさらに、前記伝送情報の優先度が第一閾値よりも高いかを確定するために用いられ；及び、現在の記伝送情報の優先度が前記第一閾値よりも高いときに、前記サイドリンク参照信号を送信する一部又は全部の時間周波数リソースが前記伝送情報を送信又は受信するために用いられると確定する、方法。
【０２４１】
（付記２３）
付記２１に記載の方法であって、さらに、
前記第一装置が、伝送情報を指示するためのスケジューリング情報を受信し；及び
前記第一装置が、前記スケジューリング情報を受信する時刻から前記サイドリンク参照信号までの時間が第二閾値よりも大きいかを確定し；及び、前記スケジューリング情報を受信する時刻から前記サイドリンク参照信号までの時間が前記第二閾値よりも大きいときに、前記サイドリンク参照信号を送信する一部又は全部の時間周波数リソースが前記伝送情報を送信又は受信するために用いられると確定することを含む、方法。
【０２４２】
（付記２４）
付記２１に記載の方法であって、さらに、
前記第一装置が、前記伝送情報の優先度が第一閾値よりも高いか、及び、前記伝送情報を指示するスケジューリング情報を受信する時刻から前記サイドリンク参照信号までの時間が第二閾値よりも大きいかを確定し；及び
前記伝送情報の優先度が前記第一閾値よりも高く、及び前記スケジューリング情報を受信する時刻から前記サイドリンク参照信号までの時間が前記第二閾値よりも大きいときに、前記サイドリンク参照信号を送信する一部又は全部の時間周波数リソースが前記伝送情報を送信又は受信するために用いられると確定することを含む、方法。
【０２４３】
（付記２５）
付記２１乃至２４のうちの何れか１つに記載の方法であって、
前記伝送情報は次のようなもののうちの少なくとも１つを含み、即ち、ユニキャスト情報、グループキャスト情報、ブロードキャスト情報、ネットワーク装置に送信する情報、及び比較的高い優先度を有する情報である、方法。
【０２４４】
（付記２６）
付記２１乃至２５のうちの何れか１つに記載の方法であって、
前記伝送情報は、前記時間間隔の全部のリソースブロック上で送信又は受信され、前記サイドリンク参照信号は、前記時間間隔での送信が取り消され；又は
前記伝送情報は、前記時間間隔の一部のリソースブロック上で送信又は受信され、前記サイドリンク参照信号は、前記時間間隔の他のリソースブロック上で送信される、方法。
【０２４５】
（付記２７）
参照信号の送信方法であって、
第一装置がチャネル状態情報を取得するためのサイドリンク参照信号を確定し、そのうち、前記サイドリンク参照信号は時間間隔の第一部分のシンボルにおいてキャリーされ；
前記第一装置が、前記時間間隔がさらに伝送情報を送信又は受信するために用いられると確定し；及び
前記第一装置が、前記サイドリンク参照信号を送信する一部又は全部の時間周波数リソースが前記伝送情報を送信又は受信するために用いられると確定することを含む、方法。
【０２４６】
（付記２８）
付記２７に記載の方法であって、
前記第一装置がさらに、前記伝送情報の優先度が第一閾値よりも高いときに、前記サイドリンク参照信号を送信する一部又は全部の時間周波数リソースが前記伝送情報を送信又は受信するために用いられると確定するために用いられる、方法。
【０２４７】
（付記２９）
付記２７又は２８に記載の方法であって、
前記伝送情報は次のようなもののうちの少なくとも１つを含み、即ち、ユニキャスト情報、グループキャスト情報、ブロードキャスト情報、ネットワーク装置に送信する情報、及び比較的高い優先度を有する情報である、方法。
【０２４８】
（付記３０）
付記２７乃至２９のうちの何れか１つに記載の方法であって、
前記伝送情報は、前記時間間隔の全部のリソースブロック上で送信又は受信され、前記サイドリンク参照信号は、前記時間間隔での送信が取り消され；又は
前記伝送情報は、前記時間間隔の一部のリソースブロック上で送信又は受信され、前記サイドリンク参照信号は、前記時間間隔の他のリソースブロック上で送信される、方法。
【０２４９】
（付記３１）
参照信号の送信方法であって、
第一装置がチャネル状態情報を取得するためのサイドリンク参照信号を確定し、そのうち、前記サイドリンク参照信号は時間間隔の第一部分のシンボルにおいてキャリーされ；
前記第一装置が伝送情報を指示するためのスケジューリング情報を受信し；
前記第一装置が、前記スケジューリング情報を受信する時刻から前記サイドリンク参照信号までの時間が第二閾値よりも大きいと確定し；及び
前記第一装置が、前記サイドリンク参照信号を送信するための一部又は全部の時間周波数リソースが前記伝送情報を送信又は受信するために用いられると確定することを含む、方法。
【０２５０】
（付記３２）
付記３１に記載の方法であって、
前記伝送情報は次のようなもののうちの少なくとも１つを含み、即ち、ユニキャスト情報、グループキャスト情報、ブロードキャスト情報、ネットワーク装置に送信する情報、及び比較的高い優先度を有する情報である、方法。
【０２５１】
（付記３３）
付記３１又は３２に記載の方法であって、
前記伝送情報は、前記時間間隔の全部のリソースブロック上で送信又は受信され、前記サイドリンク参照信号は、前記時間間隔の送信が取り消され；又は
前記伝送情報は、前記時間間隔の一部のリソースブロック上で送信又は受信され、前記サイドリンク参照信号は、前記時間間隔の他のリソースブロック上で送信される、方法。
【０２５２】
（付記３４）
参照信号の受信方法であって、
第二装置が第一装置送信のサイドリンク参照信号を受信し、そのうち、前記サイドリンク参照信号は時間間隔の第一部分のシンボルにおいてキャリーされ；及び
前記第二装置が前記サイドリンク参照信号に基づいて、チャネル測定を行い、チャネル状態情報を得ることを含む、方法。
【０２５３】
（付記３５）
付記３４に記載の方法であって、さらに、
前記第二装置が前記チャネル状態情報を前記第一装置にフィードバックすることを含む、方法。
【０２５４】
（付記３６）
付記３４又は３５に記載の方法であって、
前記時間間隔は次のようなもののうちの少なくとも１つを含み、即ち、スロット、サブフレーム、フレーム、非スロット（ｎｏｎ−ｓｌｏｔ）、及びミニスロット（ｍｉｎｉ−ｓｌｏｔ）である、方法。
【０２５５】
（付記３７）
付記３４乃至３６のうちの何れか１つに記載の方法であって、
前記時間間隔にはさらに、ガード区間のための第二部分のシンボルが含まれる、方法。
【０２５６】
（付記３８）
付記３７に記載の方法であって、
前記第二部分のシンボルは、前記サイドリンク参照信号をキャリーする前記第一部分のシンボルの後ろに位置し、前記第一部分のシンボル及び前記第二部分のシンボルは前記時間間隔の後部に位置する、方法。
【０２５７】
（付記３９）
付記３４乃至３８のうちの何れか１つに記載の方法であって、
前記時間間隔にはさらに、自動利得制御を行うための第三部分のシンボルが含まれ、前記第三部分のシンボルは、前記サイドリンク参照信号をキャリーする前記第一部分のシンボルの前に位置する、方法。
【０２５８】
（付記４０）
付記３４乃至３７のうちの何れか１つに記載の方法であって、
前記第一部分のシンボルは前記時間間隔の前部に位置する、方法。
【０２５９】
（付記４１）
付記３４乃至３８、及び４０のうちの何れか１つに記載の方法であって、
前記第一部分のシンボルはさらに、自動利得制御を行うために用いられる、方法。
【０２６０】
（付記４２）
付記３４乃至４１のうちの何れか１つに記載の方法であって、
前記時間間隔にはさらに、伝送情報をキャリーするための第四部分のシンボルが含まれる、方法。
【０２６１】
（付記４３）
付記４２に記載の方法であって、
前記伝送情報は次のようなもののうちの少なくとも１つを含み、即ち、制御情報、データ情報、及びフィードバック情報である、方法。
【０２６２】
（付記４４）
付記４２又は４３に記載の方法であって、
前記第一部分のシンボルと前記第四部分のシンボルとの間にはさらに、ガード区間のための第五部分のシンボルがある、方法。
【０２６３】
（付記４５）
付記４２乃至４４のうちの何れか１つに記載の方法であって、
前記時間間隔にはさらに、自動利得制御を行うための第六部分のシンボルが含まれ、前記第六部分のシンボルが前記第四部分のシンボルの前に位置し、又は、前記第四部分のシンボルの前の１つ又は複数のシンボルが自動利得制御を行うための第六部分のシンボルとされる、方法。
【０２６４】
（付記４６）
付記３４乃至４５のうちの何れか１つに記載の方法であって、
パワー制御状態、又はネットワーク装置及び／又は端末装置から受信したパワー制御に関するシグナリングに基づいて、前記第一シンボルの前に自動利得制御を行うための第三部分のシンボルがあるかを確定する、方法。
【０２６５】
（付記４７）
付記３４乃至４５のうちの何れか１つに記載の方法であって、
パワー制御状態、又はネットワーク装置及び／又は端末装置から受信したパワー制御に関するシグナリングに基づいて、前記第四シンボルの前に自動利得制御を行うための第六部分のシンボルがあるかを確定する、方法。
【０２６６】
（付記４８）
付記３４乃至４５のうちの何れか１つに記載の方法であって、さらに、
前記第二装置が、ネットワーク装置及び／又は端末装置送信のサイドリンク参照信号の設定情報に基づいて、前記サイドリンク参照信号を送信する前記第一部分のシンボルを確定し；及び
前記第二装置が前記第一部分のシンボルの情報を、前記サイドリンク参照信号を送信する前記第一装置に送信することを含む、方法。
【０２６７】
（付記４９）
付記３４乃至４５のうちの何れか１つに記載の方法であって、さらに、
前記第二装置がネットワーク装置及び／又は端末装置送信のセルラーリンクのスロットフォーマット設定情報に基づいて、前記サイドリンク参照信号を送信する前記第一部分のシンボルを確定し；及び
前記第二装置が前記第一部分のシンボルの情報を、前記サイドリンク参照信号を送信する前記第一装置に送信する、方法。
【０２６８】
（付記５０）
付記４８又は４９に記載の方法であって、
前記サイドリンク参照信号の前記第一部分のシンボルは、前記セルラーリンクにおける上りリンク（Ｕ）シンボル及び／又は柔軟（Ｆ）なシンボルに対応する、方法。
【０２６９】
（付記５１）
付記３４乃至５０のうちの何れか１つに記載の方法であって、
前記第一部分のシンボルはさらに、フィードバック情報をキャリーするために用いられる、方法。
【０２７０】
（付記５２）
付記５１に記載の方法であって、
前記フィードバック情報は次のようなもののうちの少なくとも１つを含み、即ち、ハイブリッド自動再送要求確認情報（ＨＡＲＱ−ＡＣＫ）、チャネル状態情報（ＣＳＩ）、変調符号化スキーム（ＭＣＳ）、チャネル品質指示（ＣＱＩ）、プリコーディングマトリックスインデックス（ＰＭＩ）、ランク指示（ＲＩ）、及びビーム情報である、方法。
【０２７１】
（付記５３）
付記３４乃至５２のうちの何れか１つに記載の方法であって、さらに、
前記第二装置が、前記時間間隔がさらに伝送情報を送信又は受信するために用いられると確定し；及び
前記第二装置が、前記サイドリンク参照信号を受信する一部又は全部の時間周波数リソースが前記伝送情報を送信又は受信するために用いられると確定することを含む、方法。
【０２７２】
（付記５４）
付記５３に記載の方法であって、
前記第二装置がさらに、前記伝送情報の優先度が第一閾値よりも高いかを確定し；及び、前記伝送情報の優先度が前記第一閾値よりも高いときに、前記サイドリンク参照信号を受信する一部又は全部の時間周波数リソースが前記伝送情報を送信又は受信するために用いられると確定するために用いられる、方法。
【０２７３】
（付記５５）
付記５３に記載の方法であって、さらに、
前記第二装置が、伝送情報を指示するためのスケジューリング情報を受信し；及び
前記第二装置が、前記スケジューリング情報を受信する時刻から前記サイドリンク参照信号までの時間が第二閾値よりも高いかを確定し；及び、前記スケジューリング情報を受信する時刻から前記サイドリンク参照信号までの時間が前記第二閾値よりも大きいときに、前記サイドリンク参照信号を受信する一部又は全部の時間周波数リソースが前記伝送情報を送信又は受信するために用いられると確定することを含む、方法。
【０２７４】
（付記５６）
付記５３に記載の方法であって、さらに、
前記第二装置が、前記伝送情報の優先度が第一閾値よりも高いか、且つ前記伝送情報を指示するスケジューリング情報を受信する時刻から前記サイドリンク参照信号までの時間が第二閾値よりも大きいかを確定し；及び
前記伝送情報の優先度が前記第一閾値よりも高く、且つ前記スケジューリング情報を受信する時刻から前記サイドリンク参照信号までの時間が前記第二閾値よりも大きいときに、前記サイドリンク参照信号を受信する一部又は全部の時間周波数リソースが前記伝送情報を送信又は受信するために用いられると確定することを含む、方法。
【０２７５】
（付記５７）
付記５３乃至５６のうちの何れか１つに記載の方法であって、
前記伝送情報は次のようなもののうちの少なくとも１つを含み、即ち、ユニキャスト情報、グループキャスト情報、ブロードキャスト情報、ネットワーク装置に送信する情報、及び比較的高い優先度を有する情報である、方法。
【０２７６】
（付記５８）
付記５３乃至５７のうちの何れか１つに記載の方法であって、
前記伝送情報は前記時間間隔の全部のリソースブロック上で送信又は受信され、前記サイドリンク参照信号は前記時間間隔での送信が取り消され；又は
前記伝送情報は前記時間間隔の一部のリソースブロック上で送信又は受信され、前記サイドリンク参照信号は前記時間間隔の他のリソースブロック上で送信される、方法。
【０２７７】
（付記５９）
参照信号の受信方法であって、
第二装置がチャネル状態情報を取得するためのサイドリンク参照信号を確定し、そのうち、前記サイドリンク参照信号は時間間隔の第一部分のシンボルにおいてキャリーされ；
前記第二装置が、前記時間間隔がさらに伝送情報を送信又は受信するために用いられると確定し；及び
前記第二装置が、前記サイドリンク参照信号を受信するための一部又は全部の時間周波数リソースが前記伝送情報を送信又は受信するために用いられると確定することを含む、方法。
【０２７８】
（付記６０）
付記５９に記載の方法であって、
前記第二装置がさらに、前記伝送情報の優先度が第一閾値よりも高いときに、前記サイドリンク参照信号を受信する一部又は全部の時間周波数リソースが前記伝送情報を送信又は受信するために用いられると確定するために用いられる、方法。
【０２７９】
（付記６１）
付記５９又は６０に記載の方法であって、
前記伝送情報は次のようなもののうちの少なくとも１つを含み、即ち、ユニキャスト情報、グループキャスト情報、ブロードキャスト情報、ネットワーク装置に送信する情報、及び比較的高い優先度を有する情報である、方法。
【０２８０】
（付記６２）
付記５９乃至６１のうちの何れか１つに記載の方法であって、
前記伝送情報は前記時間間隔の全部のリソースブロック上で送信又は受信され、前記サイドリンク参照信号は前記時間間隔での受信が取り消され；又は
前記伝送情報は前記時間間隔の一部のリソースブロック上で送信又は受信され、前記サイドリンク参照信号は前記時間間隔の他のリソースブロック上で受信される、方法。
【０２８１】
（付記６３）
参照信号の受信方法であって、
第二装置がチャネル状態情報を取得するためのサイドリンク参照信号を確定し、そのうち、前記サイドリンク参照信号は、時間間隔の第一部分のシンボルにおいてキャリーされ；
前記第二装置が、伝送情報を指示するためのスケジューリング情報を受信し；
前記第二装置が、前記スケジューリング情報を受信する時刻から前記サイドリンク参照信号までの時間が第二閾値よりも大きいと確定し；及び
前記第二装置が、前記サイドリンク参照信号を受信する一部又は全部の時間周波数リソースが前記伝送情報を送信又は受信するために用いられると確定することを含む、方法。
【０２８２】
（付記６４）
付記６３に記載の方法であって、
前記伝送情報は次のようなもののうちの少なくとも１つを含み、即ち、ユニキャスト情報、グループキャスト情報、ブロードキャスト情報、ネットワーク装置に送信する情報、及び比較的高い優先度を有する情報である、方法。
【０２８３】
（付記６５）
付記６３又は６４に記載の方法であって、
前記伝送情報は前記時間間隔の全部のリソースブロック上で送信又は受信され、前記サイドリンク参照信号は前記時間間隔での受信が取り消され；又は
前記伝送情報は前記時間間隔の一部のリソースブロック上で送信又は受信され、前記サイドリンク参照信号は前記時間間隔の他のリソースブロック上で受信される、方法。
【０２８４】
（付記６６）
端末装置であって、
記憶器及び処理器を含み、前記記憶器にはコンピュータプログラムが記憶されており、前記処理器は、前記コンピュータプログラムを実行して付記１乃至３３のうちの何れか１つに記載の参照信号の送信方法、又は、付記３４乃至６５のうちの何れか１つに記載の参照信号の受信方法を実行するように構成される、端末装置。
【図１】
2022501916.tif 000003
【図２】
2022501916.tif 000004
【図３】
2022501916.tif 000005
【図４】
2022501916.tif 000006
【図５】
2022501916.tif 000007
【図６】
2022501916.tif 000008
【図７】
2022501916.tif 000009
【図８】
2022501916.tif 000010
【図９】
2022501916.tif 000011
【図１０】
2022501916.tif 000012
【図１１】
2022501916.tif 000013
【図１２】
2022501916.tif 000014
【図１３】
2022501916.tif 000015
【図１４】
2022501916.tif 000016
【図１５】
2022501916.tif 000017
【図１６】
2022501916.tif 000018
【図１７】
2022501916.tif 000019
【図１８】
2022501916.tif 000020
【図１９】
2022501916.tif 000021
【図２０】
2022501916.tif 000022
【図２１】
2022501916.tif 000023
【図２２】
2022501916.tif 000024
【図２３】
2022501916.tif 000025
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
ＨＡＲＱ−ＡＣＫ信号の送信装置であって、
複数の指令を記憶しているメモリ；及び
前記メモリに接続されるプロセッサを含み、
前記プロセッサは、前記指令を実行して、
サイドリンクＨＡＲＱ−ＡＣＫ信号を確定し、前記サイドリンクＨＡＲＱ−ＡＣＫ信号は時間間隔の第一部分のシンボルにおいてキャリーされ；及び
第二装置に前記サイドリンクＨＡＲＱ−ＡＣＫ信号を送信するように構成される、送信装置。
【請求項２】
請求項１に記載の送信装置であって、
前記時間間隔は、スロット、サブフレーム、フレーム、非スロット、及びミニスロットのうちの少なくとも１つを含む、送信装置。
【請求項３】
請求項１に記載の送信装置であって、
前記時間間隔にはさらに、ガード区間のための第二部分のシンボルが含まれ、
前記第二部分のシンボルは、前記サイドリンクＨＡＲＱ−ＡＣＫ信号をキャリーする前記第一部分のシンボルの後ろに位置し、
前記第一部分のシンボル及び前記第二部分のシンボルは、前記時間間隔の後部（ｒｅａｒ  ｐａｒｔ）に位置する、送信装置。
【請求項４】
請求項１に記載の送信装置であって、
前記時間間隔にはさらに第三部分のシンボルが含まれ、
前記第三部分のシンボルが前記サイドリンクＨＡＲＱ−ＡＣＫ信号をキャリーする前記第一部分のシンボルの前に位置し、あるいは、前記第一部分のシンボルの前の１つ又は複数のシンボルが前記第三部分のシンボルとされる、送信装置。
【請求項５】
請求項１に記載の送信装置であって、
前記第一部分のシンボルは前記時間間隔の前部（ｆｒｏｎｔ  ｐａｒｔ）に位置し、前記第一部分のシンボルは更に自動利得制御を行うために用いられる、送信装置。
【請求項６】
請求項１に記載の送信装置であって、
前記時間間隔にはさらに伝送情報をキャリーするための第四部分のシンボルが含まれ、
前記伝送情報は、制御情報、データ情報、及びフィードバック情報のうちの少なくとも１つを含む、送信装置。
【請求項７】
請求項６に記載の送信装置であって、
第三部分のシンボルと前記第四部分のシンボルとの間にはさらにガード区間のための第五部分のシンボルがある、送信装置。
【請求項８】
請求項６に記載の送信装置であって、
前記時間間隔にはさらに第六部分のシンボルが含まれ、
前記第六部分のシンボルが前記第四部分のシンボルの前に位置し、あるいは、前記第四部分のシンボルの前の１つ又は複数のシンボルが前記第六部分のシンボルとされる、送信装置。
【請求項９】
請求項６に記載の送信装置であって、
前記伝送情報は、制御情報、データ情報及びチャネル状態情報参照信号を含む、送信装置。
【請求項１０】
請求項１に記載の送信装置であって、
前記プロセッサは、さらに、
パワー制御状態、あるいは、ネットワーク装置及び／又は端末装置から受信した、パワー制御に関するシグナリングに基づいて、前記第一シンボルの前に第三部分のシンボルがあるかを確定し、あるいは、前記第一部分のシンボルの前の１つ又は複数のシンボルが第三部分のシンボルとされるかを確定するように構成される、送信装置。
【請求項１１】
請求項６に記載の送信装置であって、
前記プロセッサは、さらに、
パワー制御状態、あるいは、ネットワーク装置及び／又は端末装置から受信した、パワー制御に関するシグナリングに基づいて、前記第四シンボルの前に第六部分のシンボルがあるかを確定し、あるいは、前記第四部分のシンボルの前の１つ又は複数のシンボルが第六部分のシンボルとされるかを確定するように構成される、送信装置。
【請求項１２】
請求項１に記載の送信装置であって、
前記プロセッサは、さらに、
ネットワーク装置及び／又は端末装置により送信される、サイドリンクＨＡＲＱ−ＡＣＫ信号の設定情報、又は、セルラーリンクのスロットフォーマット設定情報に基づいて、前記サイドリンクＨＡＲＱ−ＡＣＫ信号を送信する前記第一部分のシンボルを確定するように構成される、送信装置。
【請求項１３】
請求項１２に記載の送信装置であって、
前記サイドリンクＨＡＲＱ−ＡＣＫ信号の前記第一部分のシンボルは、前記セルラーリンクにおける上りリンクシンボル及び／又は柔軟なシンボルに対応する、送信装置。
【請求項１４】
請求項１に記載の送信装置であって、
前記プロセッサは、さらに、
前記時間間隔がさらに伝送情報を送信又は受信するために用いられると確定し；及び
前記サイドリンクＨＡＲＱ−ＡＣＫ信号を送信する一部又は全部の時間周波数リソースが前記伝送情報を送信又は受信するために用いられると確定するように構成される、送信装置。
【請求項１５】
請求項１４に記載の送信装置であって、
前記プロセッサは、さらに、
前記伝送情報の優先度が第一閾値よりも高いと確定し；及び
前記伝送情報の優先度が前記第一閾値よりも高いときに、前記サイドリンクＨＡＲＱ−ＡＣＫ信号を送信する一部又は全部の時間周波数リソースが前記伝送情報を送信又は受信するために用いられると確定するように構成される、送信装置。
【請求項１６】
請求項１４に記載の送信装置であって、
前記伝送情報は、ユニキャスト情報、グループキャスト情報、ブロードキャスト情報、ネットワーク装置に送信する情報、及び比較的高い優先度を有する情報のうちの少なくとも１つを含む、送信装置。
【請求項１７】
請求項１４に記載の送信装置であって、
前記伝送情報は、前記時間間隔の全部のリソースブロックで送信又は受信され、前記サイドリンクＨＡＲＱ−ＡＣＫ信号は、前記時間間隔での送信が取り消され；あるいは
前記伝送情報は、前記時間間隔の一部のリソースブロックで送信又は受信され、前記サイドリンクＨＡＲＱ−ＡＣＫ信号は、前記時間間隔の他のリソースブロックで送信される、送信装置。
【請求項１８】
請求項１４に記載の送信装置であって、
前記プロセッサは、さらに、
伝送情報を指示するためのスケジューリング情報を受信し；
前記スケジューリング情報を受信する時刻から前記サイドリンクＨＡＲＱ−ＡＣＫ信号までの時間が第二閾値よりも大きいと確定し；及び
前記スケジューリング情報を受信する時刻から前記サイドリンクＨＡＲＱ−ＡＣＫ信号までの時間が第二閾値よりも大きいときに、前記サイドリンクＨＡＲＱ−ＡＣＫ信号を送信する一部又は全部の時間周波数リソースが前記伝送情報を送信又は受信するために用いられると確定するように構成される、送信装置。
【請求項１９】
ＨＡＲＱ−ＡＣＫ信号の受信装置であって、
複数の指令を記憶しているメモリ；及び
前記メモリに接続されるプロセッサを含み、
前記プロセッサは、前記指令を実行して、第一装置により送信されるサイドリンクＨＡＲＱ−ＡＣＫ信号を受信するように構成され、
前記サイドリンクＨＡＲＱ−ＡＣＫ信号は、時間間隔の第一部分のシンボルにおいてキャリーされる、受信装置。
【請求項２０】
通信システムであって、
第一装置及び第二装置を含み、
前記第一装置は、サイドリンクＨＡＲＱ−ＡＣＫ信号を確定し、前記サイドリンクＨＡＲＱ−ＡＣＫ信号は、時間間隔の第一部分のシンボルにおいてキャリーされ；及び、前記サイドリンクＨＡＲＱ−ＡＣＫ信号を前記第二装置に送信し、
前記第二装置は、前記第一装置により送信される前記サイドリンクＨＡＲＱ−ＡＣＫ信号を受信する、通信システム。
【国際調査報告】
2022501916.tif 000026
2022501916.tif 000027
2022501916.tif 000028
2022501916.tif 000029